(57)【要約】【課題】本発明は、コンパクトでありながら、球面収差、色収差および非点収差の諸収差を背景技術に較べてより補正可能な変倍光学系、撮像装置およびデジタル機器を提供する。【解決手段】本発明の変倍光学系１は、物体側より像側へ順に、負の光学的パワーを有する第１レンズ群１１と、正の光学的パワーを有する第２レンズ群１２と、正の光学的パワーを有する第３レンズ群１３とを含み、広角端から望遠端への変倍において少なくとも第２および第３レンズ群１２、１３が移動し、第１レンズ群１１に少なくとも１枚の樹脂材料製レンズを有し、望遠端での第２および第３レンズ群１２、１３の結像倍率をβ２ｔおよびβ３ｔとし、広角端での第２および第３レンズ群１２、１３の結像倍率をβ２ｗおよびβ３ｗとして、β２＝β２ｔ／β２ｗ、β３＝β３ｔ／β３ｗとする場合に、β２／β３＜１．０を満足するものである。【選択図】図１
2009047722.tif 000002
【特許請求の範囲】
【請求項１】
物体側より像側へ順に、負の光学的パワーを有する第１レンズ群と、正の光学的パワーを有する第２レンズ群と、正の光学的パワーを有する第３レンズ群とを含み、
広角端から望遠端への変倍において少なくとも前記第２および第３レンズ群が移動し、
前記第１レンズ群に少なくとも１枚の樹脂材料製レンズを有し、
β２＝β２ｔ／β２ｗ、β３＝β３ｔ／β３ｗとする場合に、下記（１）の条件式を満足することを特徴とする変倍光学系。
β２／β３＜１．０      ・・・（１）
ただし、
β２ｔ：望遠端での第２レンズ群の結像倍率
β２ｗ：広角端での第２レンズ群の結像倍率
β３ｔ：望遠端での第３レンズ群の結像倍率
β３ｗ：広角端での第３レンズ群の結像倍率
【請求項２】
前記第１レンズ群は、下記（２）の条件式を満足すること
を特徴とする請求項１に記載の変倍光学系。
１．０＜｜ｆ１／ｆｗ｜＜２．０      ・・・（２）
ただし、
ｆ１：第１レンズ群の合成焦点距離
ｆｗ：広角端での全光学系の合成焦点距離
【請求項３】
前記第２レンズ群は、下記（３）の条件式を満たすこと
を特徴とする請求項１または請求項２に記載の変倍光学系。
２．０＜ｆ２／ｆｗ＜４．０      ・・・（３）
ただし、
ｆ２：第２レンズ群の合成焦点距離
ｆｗ：広角端での全光学系の合成焦点距離
【請求項４】
前記第２レンズ群は、正メニスカスレンズを有すること
を特徴とする請求項１ないし請求項３のいずれか１項に記載の変倍光学系。
【請求項５】
前記第２レンズ群は、樹脂材料製レンズを有すること
を特徴とする請求項１ないし請求項４のいずれか１項に記載の変倍光学系。
【請求項６】
前記第２レンズ群は、１枚の樹脂材料製レンズから成り、下記（４）および（５）の条件式を満足すること
を特徴とする請求項１ないし請求項５のいずれか１項に記載の変倍光学系。
Ｎ２ｐ＞１．５５      ・・・（４）
ｖ２ｐ＜３５      ・・・（５）
ただし、
Ｎ２ｐ：第２レンズ群における樹脂材料製レンズの屈折率
ｖ２ｐ：第２レンズ群における樹脂材料製レンズのアッベ数
【請求項７】
前記第３レンズ群は、接合レンズを有すること
を特徴とする請求項１ないし請求項６のいずれか１項に記載の変倍光学系。
【請求項８】
前記第３レンズ群は、下記（６）の条件式を満足すること
を特徴とする請求項１ないし請求項７のいずれか１項に記載の変倍光学系。
１．０＜ｆ３／ｆｗ＜２．０      ・・・（６）
ただし、
ｆ３：第３レンズ群の合成焦点距離
ｆｗ：広角端での全光学系の合成焦点距離
【請求項９】
前記第３レンズ群の像側に正の光学的パワーを有する第４レンズ群を有すること
を特徴とする請求項１ないし請求項８のいずれか１項に記載の変倍光学系。
【請求項１０】
前記第４レンズ群は、下記（７）の条件式を満足すること
を特徴とする請求項９に記載の変倍光学系。
２．０＜ｆ４／ｆｗ＜６．０      ・・・（７）
ただし、
ｆ４：第４レンズ群の合成焦点距離
ｆｗ：広角端での全光学系の合成焦点距離
【請求項１１】
前記第４レンズ群は、樹脂材料製レンズを有すること
を特徴とする請求項９または請求項１０に記載の変倍光学系。
【請求項１２】
前記第４レンズ群は、１枚の樹脂材料製レンズから成り、下記（８）および（９）の条件式を満足すること
を特徴とする請求項９ないし請求項１１のいずれか１項に記載の変倍光学系。
Ｎ４ｐ＞１．５５      ・・・（８）
ｖ４ｐ＜３５      ・・・（９）
ただし、
Ｎ４ｐ：第４レンズ群における樹脂材料製レンズの屈折率
ｖ４ｐ：第４レンズ群における樹脂材料製レンズのアッベ数
【請求項１３】
前記第４レンズ群は、前記変倍の場合に固定であること
を特徴とする請求項９ないし請求項１２のいずれか１項に記載の変倍光学系。
【請求項１４】
前記第１ないし第４レンズ群の４つのレンズ群のみから構成されること
を特徴とする請求項９ないし請求項１３のいずれか１項に記載の変倍光学系。
【請求項１５】
前記第１レンズ群は、前記変倍の場合に固定であること
を特徴とする請求項１ないし請求項１４のいずれか１項に記載の変倍光学系。
【請求項１６】
前記第１レンズ群は、１枚の樹脂材料製レンズから成り、下記（１０）の条件式を満足すること
を特徴とする請求項１ないし請求項１５のいずれか１項に記載の変倍光学系。
ｖ１ｎ＞４０      ・・・（１０）
ただし、
ｖ１ｎ：第１レンズ群における樹脂材料製レンズのアッベ数
【請求項１７】
前記第３レンズ群を除くレンズ群は、全て樹脂材料製レンズで構成されること
を特徴とする請求項１ないし請求項１６のいずれか１項に記載の変倍光学系。
【請求項１８】
下記（１１）の条件式を満足すること
を特徴とする請求項１ないし請求項１７のいずれか１項に記載の変倍光学系。
Ｙ’／ＴＬ＞０．１５      ・・・（１１）
ただし、
Ｙ’：最大像高
ＴＬ：望遠端における最物体側レンズ面の面頂点から像面までの光軸上距離（ただし、バックフォーカスは空気換算長）
【請求項１９】
前記望遠端において、下記（１２）および（１３）の条件式を満たすこと
を特徴とする請求項１ないし請求項１８のいずれか１項に記載の変倍光学系。
Ｔ１２／（ｆｗ×ｆｔ）１／２＜０．２      ・・・（１２）
Ｔ２３／（ｆｗ×ｆｔ）１／２＜０．２      ・・・（１３）
ただし、
Ｔ１２：望遠端での第１レンズ群と第２レンズ群との間の光軸上距離
Ｔ２３：望遠端での第２レンズ群と第３レンズ群との間の光軸上距離
ｆｗ：広角端での全光学系の合成焦点距離
ｆｔ：望遠端での全光学系の合成焦点距離
【請求項２０】
下記（１４）の条件式を満たすこと
を特徴とする請求項９ないし請求項１９のいずれか１項に記載の変倍光学系。
Ｌｂ／ｆｗ＜１．５      ・・・（１４）
ただし、
Ｌｂ：望遠端でのバックフォーカス（空気換算長）
ｆｗ：広角端での全光学系の合成焦点距離
【請求項２１】
前記変倍の場合における可動群は、２つのみであること
を特徴とする請求項１ないし請求項２０のいずれか１項に記載の変倍光学系。
【請求項２２】
少なくとも１枚の前記樹脂材料製レンズは、樹脂材料中に最大長が３０ナノメートル以下の粒子を分散させた素材を用いて成形したレンズであること
を特徴とする請求項１ないし請求項２１のいずれか１項に記載の変倍光学系。
【請求項２３】
前記第２レンズ群内または前記第３レンズ群内の樹脂材料製レンズが、前記成形レンズであること
を特徴とする請求項２２に記載の変倍光学系。
【請求項２４】
各群に少なくとも１面の非球面を有すること
を特徴とする請求項１ないし請求項２３のいずれか１項に記載の変倍光学系。
【請求項２５】
請求項１ないし請求項２４のいずれか１項に記載の変倍光学系と、
光学像を電気的な信号に変換する撮像素子とを備え、
前記変倍光学系が前記撮像素子の受光面上に物体の光学像を形成可能とされていること
を特徴とする撮像装置。
【請求項２６】
請求項２５に記載の撮像装置と、
前記撮像装置に被写体の静止画撮影および動画撮影の少なくとも一方の撮影を行わせる制御部とを備え、
前記撮像装置の変倍光学系が、前記撮像素子の受光面上に前記被写体の光学像を形成可能に組み付けられていること
を特徴とするデジタル機器。
【請求項２７】
携帯端末から成ること
を特徴とする請求項２６に記載のデジタル機器。
【発明の詳細な説明】
【技術分野】
【０００１】
本発明は、変倍光学系に関し、特に、小型化の可能な変倍光学系に関する。
【背景技術】
【０００２】
近年、携帯電話機やＰＤＡ（Personal Digital Assistants）等の携帯可能な通信機能を備えた携帯端末の普及が目覚ましく、これらの機器にコンパクトな例えばデジタルスチルカメラやデジタルビデオカメラ等の静止画撮影や動画撮影可能な撮像装置が内蔵されることが多い。これらの機器に搭載される撮像装置は、通常、サイズ（大きさ）やコストの制約が厳しい。このため、単体のいわゆるデジタルカメラに較べて、低画素で小型の撮像素子を用い、２〜４枚程度のプラスチックレンズから構成される単焦点光学系を備えた撮像装置が一般的に採用されている。しかしながら、これらの機器に搭載される撮像装置も高画素化や高機能化が進展してきており、このため、高画素撮像素子に対応可能で、かつ撮影者から離れた被写体も撮影可能であって、これらの機器に搭載することができるコンパクトな変倍光学系が要求されている。
【０００３】
これらの機器に搭載される撮像装置の変倍光学系としては、例えば、特許文献１が挙げられる。特許文献１に開示の変倍光学系は、負正正３成分の変倍光学系であり、第１レンズ群を変倍の際に固定とすることによって簡易な構成としている。
【特許文献１】特開２００６−３３８０２３号公報
【発明の開示】
【発明が解決しようとする課題】
【０００４】
しかしながら、この特許文献１に開示の変倍光学系は、変倍比が１．９倍程度と低く、光学全長も大きいため、更なる高変倍化とコンパクト化（小型化）を両立することが困難である。特に、このタイプでは、第２レンズ群が変倍の大部分を担う構成のため、変倍移動量の観点から、小型化には限界がある。
【０００５】
本発明は、上述の事情に鑑みて為された発明であり、その目的は、２〜３倍程度の変倍比と小型化とを両立しつつ、球面収差、色収差および非点収差等の諸収差を背景技術に較べてより補正することができる変倍光学系、これを備えた撮像装置およびデジタル機器を提供することである。
【課題を解決するための手段】
【０００６】
本発明は、上記技術的課題を解決するために、以下のような構成を有する変倍光学系、撮像装置およびデジタル機器を提供するものである。なお、以下の説明において使用されている用語は、本明細書においては、次の通り定義されているものとする。
（ａ）屈折率は、ｄ線の波長（５８７．５６ｎｍ）に対する屈折率である。
（ｂ）アッベ数は、ｄ線、Ｆ線（４８６．１３ｎｍ）、Ｃ線（６５６．２８ｎｍ）に対する屈折率を各々ｎｄ、ｎＦ、ｎＣ、アッベ数をνｄとした場合に、
νｄ＝（ｎｄ−１）／（ｎＦ−ｎＣ）
の定義式で求められるアッベ数νｄをいうものとする。
（ｃ）面形状に関する表記は、近軸曲率に基づいた表記である。
（ｄ）レンズについて、「凹」、「凸」または「メニスカス」という表記を用いた場合、これらは光軸近傍（レンズの中心付近）でのレンズ形状を表しているもの（近軸曲率に基づいた表記）とする。
（ｅ）接合レンズを構成している各単レンズにおける光学的パワーの表記は、単レンズのレンズ面の両側が空気である場合におけるパワーである。
（ｆ）複合型非球面レンズに用いる樹脂材料は、基板ガラス材料の付加的機能しかないため、単独の光学部材として扱わず、基板ガラス材料が非球面を有する場合と同等の扱いとし、レンズ枚数も１枚として取り扱うものとする。そして、レンズ屈折率も基板となっているガラス材料の屈折率とする。複合型非球面レンズは、基板となるガラス材料の上に薄い樹脂材料を塗布して非球面形状としたレンズである。
【０００７】
本発明の一態様に係る変倍光学系は、物体側より像側へ順に、負の光学的パワーを有する第１レンズ群と、正の光学的パワーを有する第２レンズ群と、正の光学的パワーを有する第３レンズ群とを含み、広角端から望遠端への変倍において少なくとも前記第２および第３レンズ群が移動し、前記第１レンズ群に少なくとも１枚の樹脂材料製レンズを有し、β２＝β２ｔ／β２ｗ、β３＝β３ｔ／β３ｗとする場合に、下記（１）の条件式を満足することを特徴とする。
β２／β３＜１．０      ・・・（１）
ただし、β２ｔは、前記望遠端での前記第２レンズ群の結像倍率であり、β２ｗは、前記広角端での前記第２レンズ群の結像倍率であり、β３ｔは、前記望遠端での前記第３レンズ群の結像倍率であり、そして、β３ｗは、前記広角端での前記第３レンズ群の結像倍率である。
【０００８】
この構成では、変倍比が約２〜３倍程度のズームレンズにおいて、光学全長、前玉径のサイズおよび誤差感度の点から有利な負リードの光学系である負正正を含む構成とすることによって、変倍移動量の短縮による当該変倍光学系のコンパクト化（小型化）が維持されつつ、球面収差、色収差および非点収差の良好な補正が可能となる。第１レンズ群に少なくとも１枚の樹脂材料製レンズを有することによって、レンズ外径が大きいためコストが高くなりがちな第１レンズ群のレンズコストを大幅に低減することが可能となる。そして、変倍時に少なくとも第２および第３レンズ群が所定の変倍負担で移動することによってトータルの変倍移動量を抑えることが可能となる。上記条件式（１）は、その変倍負担を定めたものであり、上記条件式（１）の上限を上回ると第２レンズ群の変倍移動量が大きくなり過ぎるため、変倍比を確保した状態で光学全長を短縮することが困難となる。
【０００９】
また、この上述の変倍光学系において、好ましくは、前記第１レンズ群は、下記（２）の条件式を満足することを特徴とする。
１．０＜｜ｆ１／ｆｗ｜＜２．０      ・・・（２）
ただし、ｆ１は、前記第１レンズ群の合成焦点距離であり、ｆｗは、前記広角端での全光学系の合成焦点距離である。
【００１０】
この構成において、上記条件式（２）の上限を上回ると、歪曲収差の補正が困難となり、上記条件式（２）の下限を下回ると、第１レンズ群の偏芯誤差に対する製造誤差感度が高くなって好ましくない。
【００１１】
また、これら上述の変倍光学系において、好ましくは、前記第２レンズ群は、下記（３）の条件式を満たすことを特徴とする。
２．０＜ｆ２／ｆｗ＜４．０      ・・・（３）
ただし、ｆ２は、前記第２レンズ群の合成焦点距離であり、ｆｗは、前記広角端での全光学系の合成焦点距離である。
【００１２】
この構成において、上記条件式（３）の上限を上回ると、特に広角端での非点収差の補正が困難となり、上記条件式（３）の下限を下回ると、第２レンズ群の偏芯誤差に対する製造誤差感度が高くなって好ましくない。
【００１３】
また、これら上述の変倍光学系において、好ましくは、前記第２レンズ群は、正メニスカスレンズを有することを特徴とする。
【００１４】
この構成によれば、第２レンズ群に正メニスカスレンズを有することによって、特に広角端での非点収差を良好に補正することが可能となる。
【００１５】
また、これら上述の変倍光学系において、好ましくは、前記第２レンズ群は、樹脂材料製レンズを有することを特徴とする。
【００１６】
この構成によれば、第２レンズ群に少なくとも１枚の樹脂材料製レンズを有することによって、レンズ外径が大きいためコストが高くなりがちな第２レンズ群のレンズコストを大幅に低減することが可能となる。
【００１７】
また、これら上述の変倍光学系において、好ましくは、前記第２レンズ群は、１枚の樹脂材料製レンズから成り、下記（４）および（５）の条件式を満足することを特徴とする。
Ｎ２ｐ＞１．５５      ・・・（４）
ｖ２ｐ＜３５      ・・・（５）
ただし、Ｎ２ｐは、前記第２レンズ群における樹脂材料製レンズの屈折率であり、ｖ２ｐは、前記第２レンズ群における樹脂材料製レンズのアッベ数である。
【００１８】
この構成によれば、第２レンズ群を１枚の樹脂材料製レンズで構成することによって、当該レンズを駆動する駆動装置の負荷を軽減することが可能となる。そして、上記条件式（４）を満たすことによって、ペッツバール和を適切に設定することが可能となり、第１レンズ群で発生する非点収差を良好に補正することが可能となる。上記条件式（５）を満たすことによって、第１レンズ群で発生する倍率色収差を良好に補正することが可能となる。
【００１９】
また、これら上述の変倍光学系において、好ましくは、前記第３レンズ群は、接合レンズを有することを特徴とする。
【００２０】
この構成によれば、第３レンズ群が接合レンズを有することによって、軸上色収差を良好に補正することが可能となる。
【００２１】
また、これら上述の変倍光学系において、好ましくは、前記第３レンズ群は、下記（６）の条件式を満足することを特徴とする。
１．０＜ｆ３／ｆｗ＜２．０      ・・・（６）
ただし、ｆ３は、前記第３レンズ群の合成焦点距離であり、ｆｗは、前記広角端での全光学系の合成焦点距離である。
【００２２】
この構成において、上記条件式（６）の上限を上回ると、第３レンズ群の変倍移動量が増加し、変倍比を確保した状態で光学全長を短縮することが困難となる。上記条件式（６）の下限を下回ると、第３レンズ群内における各レンズの偏芯誤差に対する製造誤差感度が高くなり過ぎ、調整を行ったとしても周辺性能を確保することが困難となる。
【００２３】
また、これら上述の変倍光学系において、好ましくは、前記第３レンズ群の像側に正の光学的パワーを有する第４レンズ群を有することを特徴とする。
【００２４】
この構成によれば、第３レンズ群の像側に正の第４レンズ群を配置することによって、像面へのテレセントリック性を高めることが可能となる。
【００２５】
また、この上述の変倍光学系において、好ましくは、前記第４レンズ群は、下記（７）の条件式を満足することを特徴とする。
２．０＜ｆ４／ｆｗ＜６．０      ・・・（７）
ただし、ｆ４は、前記第４レンズ群の合成焦点距離であり、ｆｗは、前記広角端での全光学系の合成焦点距離である。
【００２６】
この構成において、上記条件式（７）の上限を上回ると、像面へのテレセントリック性が悪化するため好ましくなく、上記条件式（７）の下限を下回ると、広角端と望遠端での像面への入射角の差が大きくなり過ぎていずれかで周辺照度低下を招いてしまい、好ましくない。
【００２７】
また、これら上述の変倍光学系において、好ましくは、前記第４レンズ群は、樹脂材料製レンズを有することを特徴とする。
【００２８】
この構成によれば、第４レンズ群に少なくとも１枚の樹脂材料製レンズを有することによって、レンズ外径が大きいためコストが高くなりがちな第４レンズ群のレンズコストを大幅に低減することが可能となる。
【００２９】
また、これら上述の変倍光学系において、好ましくは、前記第４レンズ群は、１枚の樹脂材料製レンズから成り、下記（８）および（９）の条件式を満足することを特徴とする。
Ｎ４ｐ＞１．５５      ・・・（８）
ｖ４ｐ＜３５      ・・・（９）
ただし、Ｎ４ｐは、前記第４レンズ群における樹脂材料製レンズの屈折率であり、ｖ４ｐは、前記第４レンズ群における樹脂材料製レンズのアッベ数である。
【００３０】
この構成によれば、第４レンズ群を１枚の樹脂材料製レンズで構成することによって、光学性能への影響を最小限に抑えつつ、レンズコストを大幅に低減することが可能となる。そして、上記条件式（８）の下限を下回ると、低分散の樹脂材料しか存在しなくなり、倍率色収差の補正を高画素化や高機能化に対応する上で充分に行うことができなくなる。上記条件式（９）の上限を上回ると、倍率色収差の補正を高画素化や高機能化に対応する上で充分に行うことができなくなる。
【００３１】
また、これら上述の変倍光学系において、好ましくは、前記第４レンズ群は、前記変倍の場合に固定であることを特徴とする。
【００３２】
この構成によれば、第４レンズ群を変倍の際に固定とすることによって、レンズ外径の大きい第４レンズ群のメカ機構を大幅に簡略化することができ、レンズユニットの断面積を狭小化することが可能となる。
【００３３】
また、これら上述の変倍光学系において、好ましくは、前記第１ないし第４レンズ群の４つのレンズ群のみから構成されることを特徴とする。
【００３４】
この構成によれば、第１ないし第４レンズ群の４つのレンズ群のみで構成することによって、光学全長の短縮とコストダウンとの両立を図ることが可能となる。
【００３５】
また、これら上述の変倍光学系において、好ましくは、前記第１レンズ群は、前記変倍の場合に固定であることを特徴とする。
【００３６】
この構成によれば、第１レンズ群を固定にすることによって、第１レンズ群のレンズ有効径を抑えることが可能となる。また第１レンズ群が可動の場合には、第１レンズ群の外側に第１レンズ群を駆動する駆動装置を配置しなければならないため、外径方向のサイズアップに繋がるので、固定にすることは外形方向の小型化に対して非常に効果がある。
【００３７】
また、これら上述の変倍光学系において、好ましくは、前記第１レンズ群は、１枚の樹脂材料製レンズから成り、下記（１０）の条件式を満足することを特徴とする。
ｖ１ｎ＞４０      ・・・（１０）
ただし、ｖ１ｎは、前記第１レンズ群における樹脂材料製レンズのアッベ数である。
【００３８】
この構成によれば、第１レンズ群を１枚の樹脂材料製レンズで構成することによって、レンズ外径が大きいためコストが高くなりがちな第１レンズ群のレンズコストを大幅に低減することが可能となる。そして、上記条件式（１０）を満たすことによって、倍率色収差の発生を最小限に抑えることができる。
【００３９】
また、これら上述の変倍光学系において、好ましくは、前記第３レンズ群を除くレンズ群は、全て樹脂材料製レンズで構成されることを特徴とする。
【００４０】
本発明にかかる変倍光学系では、第３レンズ群が最も変倍負担が大きいため、第３レンズ群を構成するレンズの光学的パワーも当然大きくなる。このため、第３レンズ群を樹脂材料にて構成すると環境温度が変化した場合にバックフォーカスの変動量が大きくなり、それに伴ってフォーカス群の移動量も増加してしまい光学全長の増加に繋がってしまう。上記構成によれば、環境温度が変化した場合におけるバックフォーカスの変動量が小さい第３レンズ群以外のレンズ群のレンズを全て樹脂材料にて構成することによって、大幅なコストダウンと小型化との両立が可能となる。
【００４１】
また、これら上述の変倍光学系において、好ましくは、下記（１１）の条件式を満足することを特徴とする。
Ｙ’／ＴＬ＞０．１５      ・・・（１１）
ただし、Ｙ’は、最大像高であり、ＴＬは、前記望遠端における最物体側レンズ面の面頂点から像面までの光軸上距離（ただし、バックフォーカスは空気換算長）である。
【００４２】
この構成において、上記条件式（１１）を満たすことにより、変倍光学系は、超コンパクト性が求められる機器へ好適に搭載可能となる。
【００４３】
また、これら上述の変倍光学系において、好ましくは、前記望遠端において、下記（１２）および（１３）の条件式を満たすことを特徴とする。
Ｔ１２／（ｆｗ×ｆｔ）１／２＜０．２      ・・・（１２）
Ｔ２３／（ｆｗ×ｆｔ）１／２＜０．２      ・・・（１３）
ただし、Ｔ１２は、前記望遠端での前記第１レンズ群と前記第２レンズ群との間の光軸上距離であり、Ｔ２３は、前記望遠端での前記第２レンズ群と前記第３レンズ群との間の光軸上距離であり、ｆｗは、前記広角端での全光学系の合成焦点距離であり、ｆｔは、前記望遠端での全光学系の合成焦点距離である。
【００４４】
この構成において、上記条件式（１２）の上限を上回ると、第２レンズ群の実質的な変倍移動量が小さくなるため、第２レンズ群の光学的パワーが強くなり、製造難易度が高くなって好ましくない。上記条件式（１３）の上限を上回ると、第３レンズ群の実質的な変倍移動量が小さくなるため、第３レンズ群の光学的パワーが強くなり、製造難易度が高くなって好ましくない。
【００４５】
また、これら上述の変倍光学系において、好ましくは、下記（１４）の条件式を満たすことを特徴とする。
Ｌｂ／ｆｗ＜１．５      ・・・（１４）
ただし、Ｌｂは、前記望遠端でのバックフォーカス（空気換算長）であり、ｆｗは、前記広角端での全光学系の合成焦点距離である。
【００４６】
この構成において、上記条件式（１４）の上限を上回ると、第１レンズ群における負レンズの光学的パワーが強くなり過ぎ、第１レンズ群で発生する軸外収差を他の群で補正することが困難となる。
【００４７】
また、これら上述の変倍光学系において、好ましくは、前記変倍の場合における可動群は、２つのみであることを特徴とする。
【００４８】
この構成によれば、変倍の場合における可動群を、変倍群とズーミングによる像面補正群との２つに限定することによって、可動群を駆動する駆動装置における占有体積が減少し、またメカ機構も簡略化するため、レンズユニットのサイズを小型化することが可能となる。
【００４９】
また、これら上述の変倍光学系において、好ましくは、少なくとも１枚の前記樹脂材料製レンズは、樹脂材料中に最大長が３０ナノメートル以下の粒子を分散させた素材を用いて成形したレンズであることを特徴とする。
【００５０】
一般に透明な樹脂材料に微粒子を混合すると光の散乱が生じて透過率が低下するため、光学材料として使用することが困難であった。しかしながら、微粒子の大きさを透過光束の波長より小さくすることによって、散乱が実質的に発生しないように樹脂材料を構成することできる。樹脂材料は、温度の上昇によって屈折率が低下するが、無機粒子は、温度の上昇によって屈折率が上昇する。このため、これらの温度依存性を利用することによって、互いにその温度依存性を打ち消し合うように作用させることによって、屈折率変化がほとんど生じないように樹脂材料を構成することができる。例えば、母材となる樹脂材料に最大長が３０ナノメートル以下の無機粒子を分散することによって、屈折率の温度依存性の極めて低い樹脂材料を構成することが可能となる。例えば、アクリルに酸化ニオブ（Ｎｂ２Ｏ５）の微粒子を分散させることによって、温度変化による屈折率変化の小さい材料を生成することが可能となる。上記構成によれば、少なくとも１枚のレンズに、このような無機粒子を分散させた樹脂材料を用いることによって、本変倍光学系の環境温度変化に伴うバックフォーカスのずれを小さく抑えることが可能となる。
【００５１】
また、これら上述の変倍光学系において、好ましくは、前記第２レンズ群内または前記第３レンズ群内の樹脂材料製レンズが、前記成形レンズであることを特徴とする。
【００５２】
本発明にかかる変倍光学系では、第３レンズ群が最も変倍負担が大きく、次に第２レンズ群の変倍負担が大きい。この構成によれば、前記成形レンズがこれらの群に用いられることによって、他の群に用いられた場合よりも環境温度が変化した場合におけるバックフォーカスの変動を抑制する効果が大きくなる。
【００５３】
また、これら上述の変倍光学系において、好ましくは、各群に少なくとも１面の非球面を有することを特徴とする。
【００５４】
この構成によれば、各群に少なくとも１面の非球面を有することによって、球面収差、非点収差、コマ収差、歪曲収差を良好に補正することが可能となる。
【００５５】
そして、本発明の他の一態様に係る撮像装置は、これら上述の構成のいずれかの変倍光学系と、光学像を電気的な信号に変換する撮像素子とを備え、前記変倍光学系が前記撮像素子の受光面上に物体の光学像を形成可能とされていることを特徴とする。
【００５６】
そして、本発明の他の一態様に係るデジタル機器は、上述の構成の撮像装置と、前記撮像装置に被写体の静止画撮影および動画撮影の少なくとも一方の撮影を行わせる制御部とを備え、前記撮像装置の変倍光学系が、前記撮像素子の受光面上に前記被写体の光学像を形成可能に組み付けられていることを特徴とする。そして、好ましくは、デジタル機器は、携帯端末から成る。
【発明の効果】
【００５７】
本発明によれば、２〜３倍程度の変倍比と小型化とを両立しつつ、球面収差、色収差および非点収差の諸収差を背景技術に較べてより補正することができる変倍光学系、撮像装置およびデジタル機器の提供が可能となる。
【発明を実施するための最良の形態】
【００５８】
以下、本発明に係る実施の一形態を図面に基づいて説明する。なお、各図において同一の符号を付した構成は、同一の構成であることを示し、その説明を省略する。
【００５９】
図１は、実施形態における変倍光学系の説明のための、その構成を模式的に示したレンズ断面図である。
【００６０】
図１において、この変倍光学系１は、光学像を電気的な信号に変換する撮像素子１６の受光面（像面）上に、物体（被写体）の光学像を形成するものであって、物体側より像側へ順に、負の光学的パワーを有する第１レンズ群１１と、正の光学的パワーを有する第２レンズ群１２と、正の光学的パワーを有する第３レンズ群１３とを含み、広角端から望遠端への変倍の際に、少なくとも第２および第３レンズ群１２、１３が移動してなる変倍光学系である。なお、図１で例示した変倍光学系１は、後述する実施例１の変倍光学系１Ａ（図４）と同じ構成である。
【００６１】
図１では、第１レンズ群１１は、変倍において固定され、両凹の負レンズ１１１から構成されて成り、第２レンズ群１２は、変倍において移動し、物体側に凸の正メニスカスレンズ１２１から構成されて成り、第３レンズ群１３は、変倍において移動し、物体側より像側へ順に、両凸の正レンズ１３１と、像側に凸の負メニスカスレンズ１３２と、図略の光学絞りと、像側に凸の負メニスカスレンズ１３３とから構成される例を示している。そして、図１に示す変倍光学系１は、変倍において固定され、両凸の正レンズ１４１から構成されて成る第４レンズ群１４をさらに有している。第１レンズ群１１の負レンズ１１１、第２レンズ群１２の正メニスカスレンズ１２１、第３レンズ群１３の負メニスカスレンズ１３３および第４レンズ群１４の正レンズ１４１は、それぞれ、両面が非球面である。第３レンズ群１１３の正レンズ１３１は、片面が非球面である。そして、第１レンズ群１１の負レンズ１１１、第２レンズ群１２の正メニスカスレンズ１２１、第３レンズ群１３の負メニスカスレンズ１３３および第４レンズ群１４の正レンズ１４１は、例えばプラスチックなどの樹脂材料製レンズである。第３レンズ群１３の正レンズ１３１と負メニスカスレンズ１３２とは、固定的に一体化された接合レンズである。なお、接合レンズにおけるレンズ枚数は、接合レンズ全体で１枚ではなく、接合レンズを構成する単レンズの枚数で表すこととする。
【００６２】
このように変倍光学系１は、広角端から望遠端への変倍において少なくとも第２および第３レンズ群１２、１３が移動し、第１レンズ群１１に少なくとも１枚の樹脂材料製レンズを有している。なお、上記のように変倍光学系１は、コストや生産性の観点から、２枚以上のレンズが樹脂材料製レンズであってもよい。
【００６３】
さらに、変倍光学系１は、望遠端での第２レンズ群１２の結像倍率をβ２ｔとし、広角端での第２レンズ群１２の結像倍率をβ２ｗとし、望遠端での第３レンズ群１３の結像倍率をβ３ｔとし、広角端での第３レンズ群１３の結像倍率をβ３ｗとし、β２＝β２ｔ／β２ｗ、β３＝β３ｔ／β３ｗとする場合に、下記（１）の条件式を満たすものとされる。
β２／β３＜１．０      ・・・（１）
【００６４】
またこの構成の変倍光学系１は、物体側から順に「負・正・正・正」の４成分を有する、いわゆる負リードの光学系である。このため、変倍比が約２〜３倍程度のズームレンズにおいて、光学全長、前玉径のサイズおよび誤差感度の点から有利となる負正正を含む構成とすることによって、変倍移動量の短縮による当該変倍光学系のコンパクト化（小型化）が維持されつつ、球面収差、色収差および非点収差の良好な補正が可能となる。
【００６５】
そして、第１レンズ群１１に少なくとも１枚の樹脂材料製レンズ（図１に示す例では負レンズ１１１）を有することによって、レンズ外径が大きいためコストが高くなりがちな第１レンズ群１１のレンズコストを大幅に低減することが可能となる。変倍時に少なくとも第２および第３レンズ群１２、１３が所定の変倍負担で移動することによってトータルの変倍移動量を抑えることが可能となる。上記条件式（１）は、その変倍負担を定めたものであり、上記条件式（１）の上限を上回ると第２レンズ群１２の変倍移動量が大きくなり過ぎるため、変倍比を確保した状態で光学全長を短縮することが困難となる。
【００６６】
また、製造工程低減の観点から、変倍光学系１は、下記条件式（１’）を満たすことがより一層好ましく、下記条件式（１”）を満たすことがさらにより一層好ましくい。
β２／β３＜０．７      ・・・（１’）
条件式（１’）の上限を上回ると、第２レンズ群１２の偏芯誤差感度が高くなるため、全系状態での第２レンズ群１２の位置調整が必要となってしまい好ましくない。
【００６７】
β２／β３＜０．７      ・・・（１”）
条件式（１”）を満たすことによって、第２および第３レンズ群１２、１３の変倍負担が最も適切となる。
【００６８】
さらに、この変倍光学系１の像側には、フィルタ１５や撮像素子１６が配置される。フィルタ１５は、平行平板状の光学素子であり、各種光学フィルタや、撮像素子のカバーガラス等を模式的に表したものである。使用用途、撮像素子、カメラの構成等に応じて、ローパスフィルタ、赤外線カットフィルタなどの光学フィルタを適宜に配置することが可能である。撮像素子１６は、この変倍光学系１によって結像された被写体の光学像における光量に応じてＲ（赤）、Ｇ（緑）、Ｂ（青）の各成分の画像信号に光電変換して所定の画像処理回路（不図示）へ出力する素子である。これらによって物体側の被写体光学像が、変倍光学系１によりその光軸ＡＸに沿って適宜な変倍比で撮像素子１６の受光面まで導かれ、撮像素子１６によって前記被写体の光学像が撮像される。
【００６９】
また、この変倍光学系１では、第１レンズ群１１は、変倍の場合に固定である。このように第１レンズ群１１が変倍の際に固定されるので、第１レンズ群１１のレンズ有効径を抑えることが可能となる。また第１レンズ群１１が可動の場合には、第１レンズ群１１の外側に第１レンズ群１１を駆動する駆動装置を配置しなければならないため、外径方向のサイズアップに繋がるので、固定にすることは外形方向の小型化に対して非常に効果がある。
【００７０】
また、この変倍光学系１では、第２レンズ群１２は、正メニスカスレンズ１２１を有している。このように第２レンズ群１２に正メニスカスレンズ１２１が配置されているので、特に広角端での非点収差を良好に補正することが可能となる。
【００７１】
また、この変倍光学系１では、第２レンズ群１２は、樹脂材料製レンズの正メニスカスレンズ１２１を有している。このように第２レンズ群１２に少なくとも１枚の樹脂材料製レンズが配置されているので、レンズ外径が大きいためコストが高くなりがちな第２レンズ群１２のレンズコストを大幅に低減することが可能となる。
【００７２】
また、この変倍光学系１では、第３レンズ群１３は、正レンズ、図１に示す例では正レンズ１３１に非球面が設けられている。このように第３レンズ群１３内の正レンズに非球面が設けられるので、コンパクト化に伴う第３レンズ群１３のパワー増大によって発生する球面収差とコマ収差とを良好に補正することができる。
【００７３】
また、この変倍光学系１では、第３レンズ群１３の最物体側レンズは、図１に示す例では正レンズ１３１が両凸形状の正レンズ１３１である。このように形状に第３レンズ群１３の最物体側レンズが両凸の正レンズであるので、両凸の正レンズにおける前後面の相対偏芯により発生する収差を抑えることが可能となる。
【００７４】
また、この変倍光学系１では、第３レンズ群１３は、接合レンズ、図１に示す例では正レンズ１３１と負メニスカスレンズ１３２とから成る接合レンズを有している。このように第３レンズ群１３が接合レンズを有することによって、軸上色収差を良好に補正することが可能となる。またこのように変倍光学系１は、少なくとも1組の接合レンズを有している。このため、コンパクト化と誤差感度の低減とを両立することが可能となる。
【００７５】
また、この変倍光学系１では、変倍の場合における可動群が第２および第３レンズ群１２、１３の２つのみである。このように変倍の際の可動群が変倍群とズーミングによる像面補正群との２つに限定されるので、可動群を駆動する駆動装置における占有体積が減少し、またメカ機構も簡略化するため、レンズユニットのサイズを小型化することが可能となる。
【００７６】
また、この変倍光学系１では、第３レンズ群１３の像側に正の光学的パワーを有する第４レンズ群１４を有している。このように第３レンズ群１３の像側に正の第４レンズ群１４が配置されるので、像面へのテレセントリック性を高めることが可能となる。
【００７７】
また、この変倍光学系１では、第４レンズ群１４は、樹脂材料製レンズの正レンズ１４１を有している。このように第４レンズ群１４に少なくとも１枚の樹脂材料製レンズが配置されているので、レンズ外径が大きいためコストが高くなりがちな第４レンズ群１４のレンズコストを大幅に低減することが可能となる。
【００７８】
また、この変倍光学系１では、第４レンズ群１４は、変倍の場合に固定である。このように第４レンズ群１４が変倍の際に固定されるので、レンズ外径の大きい第４レンズ群１４のメカ機構を大幅に簡略化することができ、レンズユニットの断面積を狭小化することが可能となる。
【００７９】
また、この変倍光学系１では、第１ないし第４レンズ群１１〜１４の４つのレンズ群のみから構成されている。このように変倍光学系１が第１ないし第４レンズ群１１〜１４の４つのレンズ群のみで構成されるので、光学全長の短縮とコストダウンとの両立を図ることが可能となる。
【００８０】
また、この変倍光学系１では、第３レンズ群１３を除くレンズ群、図１に示す例では第１、第２および第４レンズ群１１、１２、１４は、全て樹脂材料製レンズで構成されている。本実施形態にかかる変倍光学系１では、第３レンズ群１３が最も変倍負担が大きいため、第３レンズ群１３を構成するレンズの光学的パワーも当然に大きくなる。このため、第３レンズ群１３を樹脂材料によって構成すると環境温度が変化した場合にバックフォーカスの変動量が大きくなり、それに伴ってフォーカス群の移動量も増加してしまい光学全長の増加に繋がってしまう。したがって、このような構成の変倍光学系１では、環境温度が変化した場合におけるバックフォーカスの変動量が小さい第３レンズ群１３以外の第１、第２および第４レンズ群１１、１２、１４のレンズ１１１、１２１、１４１を全て樹脂材料によって構成することによって、大幅なコストダウンと小型化との両立が可能となる。
【００８１】
また、この変倍光学系１では、第１ないし第４レンズ群１１〜１４の各群に少なくとも１面の非球面を有している。このように各群１１〜１４が少なくとも１面の非球面を有しているので、球面収差、非点収差、コマ収差、歪曲収差を良好に補正することが可能となる。
【００８２】
また、この変倍光学系１では、第１ないし第４レンズ群１１〜１４の各群は、３枚以下のレンズで構成されている。このように各群１１〜１４が３枚以下のレンズで構成されているので、レンズ枚数の削減によるコスト低減を達成することが可能となる。
【００８３】
また、このような構成の変倍光学系１において、第１レンズ群１１の合成焦点距離をｆ１とし、広角端での全光学系の合成焦点距離をｆｗとする場合に、第１レンズ群１１は、下記（２）の条件式を満足することが好ましい。
１．０＜｜ｆ１／ｆｗ｜＜２．０      ・・・（２）
【００８４】
この条件式（２）の上限を上回ると、歪曲収差の補正が困難となって好ましくなく、この条件式（２）の下限を下回ると、第１レンズ群１１の偏芯誤差に対する製造誤差感度が高くなって好ましくない。
【００８５】
また、このような構成の変倍光学系１において、第２レンズ群１２の合成焦点距離をｆ２とし、広角端での全光学系の合成焦点距離をｆｗとする場合に、第２レンズ群１２は、下記（３）の条件式を満たすことが好ましい。
２．０＜ｆ２／ｆｗ＜４．０      ・・・（３）
【００８６】
この条件式（３）の上限を上回ると、特に広角端での非点収差の補正が困難となって好ましくなく、この条件式（３）の下限を下回ると、第２レンズ群１２の偏芯誤差に対する製造誤差感度が高くなって好ましくない。
【００８７】
また、このような構成の変倍光学系１において、第２レンズ群１２は、１枚の樹脂材料製レンズ、図１に示す例では正メニスカスレンズ１２１から成り、第２レンズ群１２における樹脂材料製レンズの屈折率をＮ２ｐとし、第２レンズ群１２における樹脂材料製レンズのアッベ数をｖ２ｐとする場合に、第２レンズ群１２は、下記（４）および（５）の条件式を満足することがより一層好ましい。
Ｎ２ｐ＞１．５５      ・・・（４）
ｖ２ｐ＜３５      ・・・（５）
【００８８】
このように第２レンズ群１２が１枚の樹脂材料製レンズで構成されるので、当該レンズを駆動する駆動装置の負荷を軽減することが可能となる。そして、この条件式（４）を満たすことによって、ペッツバール和を適切に設定することが可能となり、第１レンズ群１１で発生する非点収差を良好に補正することが可能となる。この条件式（５）を満たすことによって、第１レンズ群１１で発生する倍率色収差を良好に補正することが可能となる。そして、変倍光学系１の第２レンズ群１２は、下記（４’）および（５’）の条件式を満足することがさらにより一層好ましい。
Ｎ２ｐ＞１．６      ・・・（４’）
ｖ２ｐ＜３０      ・・・（５’）
【００８９】
この条件式（４’）の下限を下回ると、レンズの曲率がきつくなるため、第２レンズ群１２の前後における間隔を変倍全域で充分に確保することが困難となって好ましくない。この条件式（５’）を満たすことによって、第１レンズ群１１で発生する倍率色収差を最適に補正することが可能となる。
【００９０】
また、このような構成の変倍光学系１において、第３レンズ群１３の合成焦点距離をｆ３とし、広角端での全光学系の合成焦点距離をｆｗとする場合に、第３レンズ群１３は、下記（６）の条件式を満足することがより好ましい。
１．０＜ｆ３／ｆｗ＜２．０      ・・・（６）
【００９１】
この条件式（６）の上限を上回ると、第３レンズ群１３の変倍移動量が増加し、変倍比を確保した状態で光学全長を短縮することが困難となって好ましくない。この条件式（６）の下限を下回ると、第３レンズ群１３内における各レンズの偏芯誤差に対する製造誤差感度が高くなり過ぎ、調整を行ったとしても周辺性能を確保することが困難となって好ましくない。
【００９２】
また、このような構成の変倍光学系１において、第４レンズ群１４の合成焦点距離をｆ４とし、広角端での全光学系の合成焦点距離をｆｗとする場合に、第４レンズ群１４は、下記（７）の条件式を満足することがより一層好ましい。
２．０＜ｆ４／ｆｗ＜６．０      ・・・（７）
【００９３】
この条件式（７）の上限を上回ると、像面へのテレセントリック性が悪化するため好ましくなく、この条件式（７）の下限を下回ると、広角端と望遠端での像面への入射角の差が大きくなり過ぎていずれかで周辺照度の低下を招いてしまい、好ましくない。
【００９４】
また、このような構成の変倍光学系１において、第４レンズ群１４は、１枚の樹脂材料製レンズ、図１に示す例では正レンズ１４１から成り、第４レンズ群１４における樹脂材料製レンズの屈折率をＮ４ｐとし、第４レンズ群１４における樹脂材料製レンズのアッベ数をｖ４ｐとする場合に、下記（８）および（９）の条件式を満足することが好ましい。
Ｎ４ｐ＞１．５５      ・・・（８）
ｖ４ｐ＜３５      ・・・（９）
【００９５】
このように第４レンズ群１４が１枚の樹脂材料製レンズで構成されるので、光学性能への影響を最小限に抑えつつ、レンズコストを大幅に低減することが可能となる。そして、この条件式（８）の下限を下回ると、低分散の樹脂材料しか存在しなくなり、倍率色収差の補正を高画素化や高機能化に対応する上で充分に行うことができなくなって好ましくない。この条件式（９）の上限を上回ると、倍率色収差の補正を高画素化や高機能化に対応する上で充分に行うことができなくなって好ましくない。そして、変倍光学系１の第４レンズ群１４は、下記（８’）および（９’）の条件式を満足することがさらにより一層好ましい。
Ｎ４ｐ＞１．６      ・・・（８’）
ｖ４ｐ＜３０      ・・・（９’）
【００９６】
この条件式（８’）の下限を下回ると、レンズの曲率がきつくなるため、第４レンズ群１４の前後における間隔を変倍全域で充分に確保することが困難となって好ましくない。この条件式（９’）を満たすことによって、第４レンズ群１４で発生する倍率色収差を最適に補正することが可能となる。
【００９７】
また、このような構成の変倍光学系１において、第１レンズ群１１における樹脂材料製レンズのアッベ数をｖ１ｎとする場合に、第１レンズ群１１は、１枚の樹脂材料製レンズ、図１に示す例では負レンズ１１１から成り、下記（１０）の条件式を満足することが好ましい。
ｖ１ｎ＞４０      ・・・（１０）
【００９８】
このように第１レンズ群１１が１枚の樹脂材料製レンズで構成されるので、レンズ外径が大きいためコストが高くなりがちな第１レンズ群１１のレンズコストを大幅に低減することが可能となる。そして、この条件式（１０）を満たすことによって、倍率色収差の発生を最小限に抑えることができる。
【００９９】
また、このような構成の変倍光学系１において、最大像高をＹ’とし、望遠端における最物体側レンズ面の面頂点から像面までの光軸上距離（ただし、バックフォーカスは空気換算長）をＴＬとする場合に、下記（１１）の条件式を満足することがより一層好ましい。
Ｙ’／ＴＬ＞０．１５      ・・・（１１）
【０１００】
この条件式（１１）を満たすことによって、変倍光学系１は、超コンパクト性が求められる機器へ好適に搭載可能となる。
【０１０１】
また、このような構成の変倍光学系１において、望遠端での第１レンズ群１１と第２レンズ群１２との間の光軸上距離をＴ１２とし、望遠端での第２レンズ群１２と第３レンズ群１３との間の光軸上距離をＴ２３とし、広角端での全光学系の合成焦点距離をｆｗとし、望遠端での全光学系の合成焦点距離をｆｔとする場合に、望遠端において、下記（１２）および（１３）の条件式を満たすことがより一層好ましい。
Ｔ１２／（ｆｗ×ｆｔ）１／２＜０．２      ・・・（１２）
Ｔ２３／（ｆｗ×ｆｔ）１／２＜０．２      ・・・（１３）
【０１０２】
この条件式（１２）の上限を上回ると、第２レンズ群１２の実質的な変倍移動量が小さくなるため、第２レンズ群１２の光学的パワーが強くなり、製造難易度が高くなって好ましくない。この条件式（１３）の上限を上回ると、第３レンズ群１３の実質的な変倍移動量が小さくなるため、第３レンズ群１３の光学的パワーが強くなり、製造難易度が高くなって好ましくない。そして、製造工程低減の観点から、そして、変倍光学系１は、望遠端において、下記（１２’）および（１３’）の条件式を満足することがさらにより一層好ましい。
Ｔ１２／（ｆｗ×ｆｔ）１／２＜０．１８      ・・・（１２’）
Ｔ２３／（ｆｗ×ｆｔ）１／２＜０．１８      ・・・（１３’）
【０１０３】
この条件式（１２’）の上限を上回ると、第２レンズ群１２における各レンズの光学的パワーが増加するので、偏芯誤差感度が高くなるため、レンズ間の位置調整が必要となってコストがかかってしまい好ましくない。この条件式（１３’）の上限を上回ると、第３レンズ群１３における各レンズの光学的パワーが増加するので、偏芯誤差感度が高くなるため、レンズ間の位置調整が必要となってコストがかかってしまい好ましくない。
【０１０４】
また、このような構成の変倍光学系１において、望遠端でのバックフォーカス（空気換算長）をＬｂとし、広角端での全光学系の合成焦点距離をｆｗとする場合に、下記（１４）の条件式を満たすことがより一層好ましい。
Ｌｂ／ｆｗ＜１．５      ・・・（１４）
【０１０５】
この条件式（１４）の上限を上回ると、第１レンズ群１１における負レンズの光学的パワーが強くなり過ぎ、第１レンズ群１１で発生する軸外収差を他の群で補正することが困難となる。
【０１０６】
また、このような構成の変倍光学系１において、第２レンズ群１２内または第３レンズ群１３内の樹脂材料製レンズが上述した樹脂材料中にナノ粒子を分散させた素材を用いて成形した成形レンズであることがより一層好ましい。本実施形態の変倍光学系１では、第３レンズ群１３が最も変倍負担が大きく、次に第２レンズ群１２の変倍負担が大きい。このような構成では、上記成形レンズがこれらの群に用いられることによって、他の群に用いられた場合よりも環境温度が変化した場合におけるバックフォーカスの変動を抑制する効果が大きくなる。
【０１０７】
また、このような構成の変倍光学系１において、第１レンズ群１１の樹脂材料製レンズの屈折率をＮ１ｎとする場合に、第１レンズ群１１は、１枚の樹脂材料製レンズ、図１に示す例では負レンズ１１１から成り、下記（１５）の条件式を満たすことがより一層好ましい。
Ｎ１ｎ＞１．５５      ・・・（１５）
【０１０８】
この条件式（１５）を満たすことによって、樹脂材料製レンズの像側面の製造難易度を抑制することが可能となる。
【０１０９】
また、このような構成の変倍光学系１において、第１レンズ群１１の合成焦点距離をｆ１とし、望遠端での全光学系の合成焦点距離をｆｔとする場合に、第１レンズ群１１は、下記（１６）の条件式を満たすことがより一層好ましい。
０．４＜｜ｆ１／ｆｔ｜＜０．６      ・・・（１６）
【０１１０】
この条件式（１６）の上限を上回ると、歪曲収差の補正が困難となって好ましくなく、この条件式（１６）の下限を下回ると、第１レンズ群１１の偏芯誤差に対する製造誤差感度が高くなってしまい好ましくない。
【０１１１】
また、このような構成の変倍光学系１において、第２レンズ群１２の合成焦点距離をｆ２とし、望遠端での全光学系の合成焦点距離をｆｔとする場合に、第２レンズ群１２は、下記（１７）の条件式を満たすことがより一層好ましい。
０．７＜｜ｆ２／ｆｔ｜＜１．３      ・・・（１７）
【０１１２】
この条件式（１７）の上限を上回ると、特に広角端での非点収差の補正が困難となって好ましくなく、この条件式（１７）の下限を下回ると、第２レンズ群１２の偏芯誤差に対する製造誤差感度が高くなってしまい好ましくない。
【０１１３】
また、このような構成の変倍光学系１において、第３レンズ群１３の合成焦点距離をｆ３とし、望遠端での全光学系の合成焦点距離をｆｔとする場合に、第３レンズ群１３は、下記（１８）の条件式を満たすことがより一層好ましい。
０．４＜｜ｆ３／ｆｔ｜＜０．７      ・・・（１８）
【０１１４】
この条件式（１８）の上限を上回ると、第３レンズ群１３の変倍移動量が増加し、変倍比を確保した状態で光学全長を短縮することが困難となって好ましくなく、この条件式（１８）の下限を下回ると、第３レンズ群１３内における各レンズの偏芯誤差に対する製造誤差感度が高くなりすぎ、調整を行ったとしても周辺性能を確保することが困難となって好ましくない。
【０１１５】
また、このような構成の変倍光学系１において、第４レンズ群１４の合成焦点距離をｆ４とし、望遠端での全光学系の合成焦点距離をｆｔとする場合に、第４レンズ群１４は、下記（１９）の条件式を満たすことがより一層好ましい。
０．９＜｜ｆ４／ｆｔ｜＜２．０      ・・・（１９）
【０１１６】
この条件式（１９）の上限を上回ると、像面へのテレセントリック性が悪化して好ましくなく、この条件式（１９）の下限を下回ると、広角端と望遠端での像面への入射角の差が大きくなり過ぎ、いずれかで周辺照度低下を招いてしまい好ましくない。
【０１１７】
また、このような構成の変倍光学系１において、図略の前記光学絞りは、撮像素子１６に対して遮光する機能を備えたメカニカルシャッタでもよい。このようなメカニカルシャッタは、例えば、撮像素子１６にＣＣＤ方式の素子を用いた場合にスミアの防止に効果的である。
【０１１８】
また、このような構成の変倍光学系１において、第２および第３レンズ群１２、１３や図略の前記光学絞り等の駆動には、カムやステッピングモータなどが用いられても良いし、あるいは、圧電アクチュエータが用いられても良い。圧電アクチュエータを用いる場合では、駆動装置の体積および消費電力の増加を抑制することが可能となる。
【０１１９】
また、このような構成の変倍光学系１において、物体側から順に、両凹の負レンズまたは物体側に凸の負メニスカスレンズから構成されて成る第１レンズ群と、物体側に凸の正メニスカスレンズから構成されて成る第２レンズ群と、１組の接合レンズを含みかつ両凸の正レンズを有して成る第３レンズ群と、両凸の正レンズまたは像側に凸の正メニスカスレンズから構成されて成る第４レンズ群とを含む構成とすることがより一層好ましい。このように、第１レンズ群が１枚の負レンズで構成されることによって、光学全長を抑えることが可能となる。第２レンズ群が正メニスカスレンズで構成されることによって、倍率色収差および非点収差の補正を充分に行うことが可能となる。第３レンズ群が接合レンズを含むことによって、軸上色収差を抑制し、かつ誤差感度低減を行うことが可能となる。第３レンズ群が両凸のレンズを有することによって、第３レンズ群の光学的パワーを充分に確保することが可能となる。そして、第４レンズ群が１枚の正レンズで構成されることによって、像面に対するテレセン性を確保しつつ、コストダウンを図ることが可能となる。
【０１２０】
また、このような構成の変倍光学系１において、空気と面している全てのレンズ面が非球面であることが好ましい。この構成によってコンパクト化と高画質化との両立が可能となる。
【０１２１】
また、このような構成の変倍光学系１において、非球面を有するガラスレンズは、ガラスモールド非球面レンズや、研削非球面ガラスレンズや、複合型非球面レンズ（球面ガラスレンズ上に非球面形状の樹脂を形成したもの）であってもよい。ガラスモールド非球面レンズは、大量生産に向き好ましく、複合型非球面レンズは、基板となり得るガラス材料の種類が多いため、設計の自由度が高くなる。特に、高屈折率材料を用いた非球面レンズでは、モールド形成が容易ではないため、複合型非球面レンズが好ましい。また、片面非球面の場合には、複合型非球面レンズの利点を最大限に活用することが可能となる。
【０１２２】
また、このような構成の変倍光学系１において、樹脂材料製レンズを用いる場合では、樹脂材料中に最大長が３０ナノメートル以下の粒子を分散させた素材を用いて成形したレンズであることがより一層好ましい。
【０１２３】
一般に透明な樹脂材料に微粒子を混合させると、光が散乱し透過率が低下するので、光学材料として使用することが困難であったが、微粒子の大きさを透過光束の波長よりも小さくすることによって、光は、実質的に散乱しない。そして、樹脂材料は、温度上昇に伴って屈折率が低下してしまうが、無機粒子は、逆に、温度上昇に伴って屈折率が上昇する。このため、このような温度依存性を利用して互いに打ち消し合うように作用させることで、温度変化に対して屈折率変化がほとんど生じないようにすることができる。より具体的には、母材となる樹脂材料に最大長で３０ナノメートル以下の無機微粒子を分散させることによって、屈折率の温度依存性を低減した樹脂材料となる。例えば、アクリルに酸化ニオブ（Ｎｂ２Ｏ５）の微粒子を分散させる。このような構成の変倍光学系１において、少なくとも１枚のレンズに、このような無機微粒子を分散させた樹脂材料製レンズを用いることによって、変倍光学系１の環境温度変化に伴うバックフォーカスのずれを小さく抑えることが可能となる。
【０１２４】
このような無機微粒子を分散させた樹脂材料製レンズは、以下のように成形されることが好ましい。
【０１２５】
屈折率の温度変化について説明すると、屈折率の温度変化ｎ（Ｔ）は、ローレンツ・ローレンツの式に基づいて、屈折率ｎを温度Ｔで微分することによって式２０で表される。
ｎ（Ｔ）＝（（ｎ２＋２）×（ｎ２−１））／６ｎ×（−３α＋（１／［Ｒ］）×（∂［Ｒ］／∂Ｔ））      ・・・（２０）
ただし、αは、線膨張係数であり、［Ｒ］は、分子屈折である。
【０１２６】
樹脂材料の場合では、一般に、屈折率の温度依存性に対する寄与は、式２０中の第１項に較べて第２項が小さく、ほぼ無視することができる。例えば、ＰＭＭＡ樹脂の場合では、線膨張係数αは、７×１０−５であって、式２０に代入すると、ｎ（Ｔ）＝−１．２×１０−４（／℃）となり、実測値と略一致する。
【０１２７】
変倍光学系１の環境温度変化に伴うバックフォーカスのずれを小さく抑える観点から、屈折率の温度変化ｎ（Ｔ）は、絶対値で８×１０−５（／℃）未満であることが好ましく、さらに、絶対値で６×１０−５（／℃）未満であることが好ましい。屈折率の温度変化ｎ（Ｔ）が絶対値で６×１０−５（／℃）未満である場合には、変倍光学系１の環境温度変化に伴うバックフォーカスのずれ量は、約半分に抑えられる。
【０１２８】
よって、このような樹脂材料としては、ポリオレフィン系の樹脂材料やポリカーボネイト系の樹脂材料が好ましい。ポリオレフィン系の樹脂材料では、屈折率の温度変化ｎ（Ｔ）は、約−１１×１０−５（／℃）となり、ポリカーボネイト系の樹脂材料では、屈折率の温度変化ｎ（Ｔ）は、約−１４×１０−５（／℃）となる。
【０１２９】
＜変倍光学系を組み込んだデジタル機器の説明＞
次に、上述の変倍光学系１が組み込まれたデジタル機器について説明する。
【０１３０】
図２は、実施形態におけるデジタル機器の構成を示すブロック図である。デジタル機器３は、撮像機能のために、撮像部３０、画像生成部３１、画像データバッファ３２、画像処理部３３、駆動部３４、制御部３５、記憶部３６およびＩ／Ｆ部３７を備えて構成される。デジタル機器３としては、例えば、デジタルスチルカメラ、ビデオカメラ、監視カメラ（モニタカメラ）、携帯電話機や携帯情報端末（ＰＤＡ）等の携帯端末、パーソナルコンピュータおよびモバイルコンピュータを挙げることができ、これらの周辺機器（例えば、マウス、スキャナおよびプリンタなど）を含んでよい。
【０１３１】
撮像部３０は、撮像装置２１と撮像素子１６とを備えて構成される。撮像装置２１は、図１に示したような変倍光学系１と、光軸方向にレンズを駆動し変倍およびフォーカシングを行うための図略のレンズ駆動装置等とを備えて構成される。被写体からの光線は、変倍光学系１によって撮像素子１６の受光面上に結像され、被写体の光学像となる。
【０１３２】
撮像素子１６は、上述したように、変倍光学系１により結像された被写体の光学像をＲ，Ｇ，Ｂの色成分の電気信号（画像信号）に変換し、Ｒ，Ｇ，Ｂ各色の画像信号として画像生成部３１に出力する。撮像素子１６は、制御部３５によって静止画あるいは動画のいずれか一方の撮像、または、撮像素子１６における各画素の出力信号の読出し（水平同期、垂直同期、転送）などの撮像動作が制御される。
【０１３３】
画像生成部３１は、撮像素子１６からのアナログ出力信号に対し、増幅処理、デジタル変換処理などを行うと共に、画像全体に対して適正な黒レベルの決定、γ補正、ホワイトバランス調整（ＷＢ調整）、輪郭補正および色ムラ補正などの周知の画像処理を行って、画像信号から各画素の画像データを生成する。画像生成部３１で生成された画像データは、画像データバッファ３２に出力される。
【０１３４】
画像データバッファ３２は、画像データを一時的に記憶するとともに、この画像データに対し画像処理部３３によって後述の処理を行うための作業領域として用いられるメモリであり、例えば、揮発性の記憶素子であるＲＡＭ（Random Access Memory）などで構成される。
【０１３５】
画像処理部３３は、画像データバッファ３２の画像データに対し、解像度変換などの画像処理を行う回路である。また、必要に応じて画像処理部３３に、変倍光学系１では補正しきれなかった収差を補正させるように構成することも可能である。
【０１３６】
駆動部３４は、制御部３５から出力される制御信号に基づいて図略の前記レンズ駆動装置を動作させることによって、所望の変倍およびフォーカシングを行わせるように変倍光学系１における１または複数のレンズ群を駆動する。
【０１３７】
制御部３５は、例えばマイクロプロセッサおよびその周辺回路などを備えて構成され、撮像部３０、画像生成部３１、画像データバッファ３２、画像処理部３３、駆動部３４、記憶部３６およびＩ／Ｆ部３７の各部の動作をその機能に従って制御する。すなわち、この制御部３５によって、撮像装置２１は、被写体の静止画撮影および動画撮影の少なくとも一方の撮影を実行するよう制御される。
【０１３８】
記憶部３６は、被写体の静止画撮影または動画撮影によって生成された画像データを記憶する記憶回路であり、例えば、不揮発性の記憶素子であるＲＯＭ（Read Only Memory）や、書き換え可能な不揮発性の記憶素子であるＥＥＰＲＯＭ（Electrically Erasable Programmable Read Only Memory）や、ＲＡＭなどを備えて構成される。つまり、記憶部３６は、静止画用および動画用のメモリとしての機能を有する。
【０１３９】
Ｉ／Ｆ部３７は、外部機器と画像データを送受信するインターフェースであり、例えば、ＵＳＢやＩＥＥＥ１３９４などの規格に準拠したインターフェースである。
【０１４０】
このような構成のデジタル機器３の撮像動作に次について説明する。
【０１４１】
静止画を撮影する場合は、制御部３５は、撮像装置２１に静止画の撮影を行わせるように制御すると共に、駆動部３４を介して撮像装置２１の図略の前記レンズ駆動装置を動作させ、フォーカシングを行う。これにより、ピントの合った光学像が撮像素子１６の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、撮影者は、前記ディスプレイを参照することで、主被写体をその画面中の所望の位置に収まるように調整することが可能となる。この状態でいわゆるシャッターボタン（不図示）が押されることによって、静止画用のメモリとしての記憶部３６に画像データが格納され、静止画像が得られる。
【０１４２】
この場合において、被写体が撮像装置２１から離れた位置にある、あるいは近くの被写体を拡大したいためズーム撮影を行う場合には、制御部３５は、変倍のためのレンズ駆動を実行し、変倍光学系１に連続的にズーミングを行わせる。これによって、撮影者から離れた被写体であっても拡大率を調節することによって、通常の等倍撮影と同様、主被写体がその画面中の所望の位置に収まるように調整し、拡大された静止画像を得ることができる。
【０１４３】
また、動画撮影を行う場合は、制御部３５は、撮像装置２１に動画の撮影を行わせるように制御する。後は、静止画撮影の場合と同様にして、撮影者は、前記ディスプレイ（不図示）を参照することで、撮像装置２１を通して得た被写体の像が、その画面中の所望の位置に収まるように調整することができる。この場合において、静止画撮影と同様に、被写体像の拡大率を調節することができ、前記シャッターボタン（不図示）を押すことによって、動画撮影が開始される。この撮影中において被写体の拡大率を随時変えることも可能である。
【０１４４】
動画撮影時、制御部３５は、撮像装置２１に動画の撮影を行わせるように制御すると共に、駆動部３４を介して撮像装置２１の図略の前記レンズ駆動装置を動作させ、フォーカシングを行う。これによって、ピントの合った光学像が撮像素子１６の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、もう一度前記シャッターボタン（不図示）を押すことで、動画撮影が終了する。撮影された動画像は、動画用のメモリとしての記憶部３６に導かれて格納される。
【０１４５】
このような撮像装置２１およびデジタル機器３では、コンパクトでありながら、球面収差、色収差および非点収差などの諸収差を背景技術に較べてより補正することができる変倍光学系１を備えるので、小型化を図りつつ高画素な撮像素子１６を採用することができる。特に、変倍光学系１が小型で高画素撮像素子に適用可能であるので、高画素化や高機能化が進む携帯端末に好適である。その一例として、携帯電話機に撮像装置２１を搭載した場合について、以下に説明する。
【０１４６】
図３は、デジタル機器の一実施形態を示すカメラ付携帯電話機の外観構成図である。図３（Ａ）は、携帯電話機の操作面を示し、図３（Ｂ）は、操作面の裏面、つまり背面を示す。
【０１４７】
図３において、携帯電話機５には、上部にアンテナ５１が備えられ、その操作面には、図３（Ａ）に示すように、長方形のディスプレイ５２、画像撮影モードの起動および静止画撮影と動画撮影との切り替えを行う画像撮影ボタン５３、変倍（ズーミング）を制御する変倍ボタン５４、シャッタボタン５５およびダイヤルボタン５６が備えられている。
【０１４８】
そして、この携帯電話機５には、携帯電話網を用いた電話機能を実現する回路が内蔵されると共に、上述した撮像部３０、画像生成部３１、画像データバッファ３２、画像処理部３３、駆動部３４、制御部３５および記憶部３６が内蔵されており、撮像部３０の撮像装置２１が背面に臨んでいる。
【０１４９】
画像撮影ボタン５３が操作されると、その操作内容を表す制御信号が制御部３５へ出力され、制御部３５は、その操作内容に応じた動作を実行する。変倍ボタン５４は、例えば、２接点式のスイッチ等で構成され、その上端部分に望遠を表す「Ｔ」の印字がされ、下端部分に広角を表す「Ｗ」の印字がされている。そして、変倍ボタン５４の印字位置が押下されることによって、それぞれの変倍動作を表す制御信号が制御部３５へ出力され、制御部３５は、その変倍動作に応じた動作を実行する。そして、シャッタボタン５５が操作されると、その操作内容を表す制御信号が制御部３５へ出力され、制御部３５は、その操作内容に応じた動作を実行する。
【０１５０】
＜変倍光学系のより具体的な実施形態の説明＞
以下、図１に示したような変倍光学系１、すなわち図２に示したようなデジタル機器３に搭載される撮像装置２１に備えられる変倍光学系１の具体的な構成を、図面を参照しつつ説明する。
【実施例１】
【０１５１】
図４は、実施例１における変倍光学系におけるレンズ群の配列を示す断面図である。図５は、実施例１の変倍光学系の変倍における各レンズ群の移動の様子を示す図である。Ｗは、広角端の場合を示し、Ｍは、中間点の場合を示し、そして、Ｔは、望遠端の場合を示している。なお、図５は、実施例２ないし実施例９および実施例１３ないし実施例１５の場合も示している。図２６は、実施例１の広角端におけるレンズ群の収差図である。図２７は、実施例１の中間点におけるレンズ群の収差図である。図２８は、実施例１の望遠端におけるレンズ群の収差図である。
【０１５２】
実施例１の変倍光学系１Ａは、図４に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、図略の光学絞りＳＴを含む全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、図略の前記光学絞りＳＴは、第３レンズ群（Ｇｒ３）と共に移動する。
【０１５３】
より詳しくは、実施例１の変倍光学系１Ａは、各レンズ群（Ｇｒ１、Ｇｒ２、Ｇｒ３、Ｇｒ４）が物体側から像側へ順に、次のように構成されている。
【０１５４】
第１レンズ群（Ｇｒ１）は、両凹の負レンズ（第１レンズＬ１）から構成されて成る。第１レンズＬ１は、両面が非球面であり、例えば、樹脂材料製レンズである。
【０１５５】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０１５６】
第３レンズ群（Ｇｒ３）は、両凸の正レンズ（第３レンズＬ３）と、像側に凸の負メニスカスレンズ（第４レンズＬ４）と、像側に凸の負メニスカスレンズ（第５レンズＬ５）とから構成されて成る。第３レンズＬ３は、物体側の面（片面）が非球面である。第５レンズＬ５は、両面が非球面であり、例えば、樹脂材料製レンズである。第３レンズＬ３と第４レンズＬ４とは接合レンズである。第３レンズ群（Ｇｒ３）には、図略の前記光学絞りＳＴが含まれ、第３レンズ群（Ｇｒ３）と共に移動するように第４レンズＬ４と第５レンズＬ５との間に配置されている。
【０１５７】
第４レンズ群（Ｇｒ４）は、両凸の正レンズ（第６レンズＬ６）から構成されて成る。第６レンズＬ６は、両面が非球面であり、例えば、樹脂材料製レンズである。
【０１５８】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１５９】
図４において、各レンズ面に付されている番号ｒｉ（ｉ＝１，２，３，・・・）は、物体側から数えた場合のｉ番目のレンズ面（ただし、レンズの接合面は１つの面として数えるものとする。）であり、ｒｉに「＊」印が付されている面は、非球面であることを示す。なお、光学絞りＳＴ、平行平板ＦＴの両面および撮像素子ＳＲの受光面も１つの面として扱っている。このような取り扱いおよび符号の意義は、後述の実施例２ないし実施例１７についても同様である（図６ないし図１４、図１６、図１８、および、図２０ないし図２４）。ただし、全く同一のものであるという意味ではなく、例えば、各実施例１〜１７の各図４、６〜１４、１６、１８、２０〜２４を通じて、最も物体側に配置されるレンズ面には、同じ符号（ｒ１）が付されているが、これらの曲率などが各実施例１〜１７を通じて同一であるという意味ではない。
【０１６０】
このような構成の下で、物体側から入射した光線は、光軸ＡＸに沿って、順に第１レンズ群（Ｇｒ１）、第２レンズ群（Ｇｒ２）、第３レンズ群（Ｇｒ３）（途中、前記光学絞りＳＴを含む）、第４レンズ群（Ｇｒ４）および平行平板ＦＴを通過し、撮像素子ＳＲの受光面に物体の光学像を形成する。そして、撮像素子ＳＲでは、光学像が電気的な信号に変換される。この電気信号は、必要に応じて所定のデジタル画像処理などが施され、デジタル映像信号として例えばデジタルカメラ等のデジタル機器のメモリに記録されたり、有線あるいは無線の通信によって他のデジタル機器に伝送されたりする。
【０１６１】
この実施例１の変倍光学系１Ａでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、図略の前記光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０１６２】
実施例１の変倍光学系１Ａにおける、各レンズのコンストラクションデータを以下に示す。
【０１６３】
数値実施例１
単位  ｍｍ
面データ
面番号          ｒ        ｄ        ｎｄ        νｄ
物面            ∞        ∞
１＊        -15.692      0.600      1.53048      55.72
２＊          4.198      可変
３＊          4.971      1.151      1.60700      27.10
４＊              10.207      可変
５＊          3.557      2.015      1.68966      52.97
６           -5.135      0.939      1.84666      23.78
７（絞り） -147.991      2.749
８＊         -2.187      0.600      1.53048      55.72
９＊         -3.886      可変
１０＊       21.779      1.425      1.60700      27.10
１１＊      -17.813      0.500
１２            ∞       0.500      1.51680      64.20
１３            ∞       0.500
像面            ∞
非球面データ
第１面
Ｋ＝0.0000e+000，Ａ４＝9.1389e-004，Ａ６＝-1.1471e-005，Ａ８＝-3.1556e-007，Ａ１０＝-1.1908e-007
第２面
Ｋ＝0.0000e+000，Ａ４＝-8.7951e-004，Ａ６＝2.6615e-005，Ａ８＝1.5182e-006，Ａ１０＝-8.0850e-007
第３面
Ｋ＝0.0000e+000，Ａ４＝3.4114e-004，Ａ６＝-6.5084e-006，Ａ８＝-4.6724e-006，Ａ１０＝3.7699e-008
第４面
Ｋ＝0.0000e+000，Ａ４＝1.4053e-003，Ａ６＝-1.1503e-004，Ａ８＝4.6380e-006，Ａ１０＝-1.0744e-007
第５面
Ｋ＝0.0000e+000，Ａ４＝-8.3845e-004，Ａ６＝-7.8376e-005，Ａ８＝-1.5352e-005，Ａ１０＝4.3093e-006
第８面
Ｋ＝0.0000e+000，Ａ４＝-1.7119e-002，Ａ６＝5.8848e-003，Ａ８＝-1.2644e-003，Ａ１０＝1.0955e-004
第９面
Ｋ＝0.0000e+000，Ａ４＝-9.1546e-003，Ａ６＝3.8357e-003，Ａ８＝-4.4549e-004，Ａ１０＝4.0317e-005
第１０面
Ｋ＝0.0000e+000，Ａ４＝-1.3685e-004，Ａ６＝-9.8203e-004，Ａ８＝1.2912e-004，Ａ１０＝-4.6775e-006
第１１面
Ｋ＝0.0000e+000，Ａ４＝4.8182e-003，Ａ６＝-2.3581e-003，Ａ８＝2.5235e-004，Ａ１０＝-8.1578e-006
各種データ
ズームデータ
ズーム比  2.77
広角      中間      望遠
焦点距離      4.479     8.563     12.396
Ｆナンバ      3.426     5.622      7.113
画角         38.789    22.803     16.194
像高          3.600     3.600      3.600
レンズ全長   19.830    19.830     19.830
ＢＦ          1.330     1.330      1.330
ｄ２          4.116     1.314      1.289
ｄ４          4.404     3.474      0.960
ｄ９          0.500     4.232      6.770
ズームレンズ群データ
群      始面      終面      焦点距離
１      １        ２        -6.178
２      ３        ４        14.739
３      ５        ９         6.847
４      １０      １１      16.365
上記の面データにおいて、面番号は、図４に示した各レンズ面に付した符号ｒｉ（ｉ＝１，２，３，…）の番号ｉが対応する。番号ｉに＊が付された面は、非球面（非球面形状の屈折光学面または非球面と等価な屈折作用を有する面）であることを示す。
【０１６４】
また、“ｒ”は、各面の曲率半径（単位はｍｍ）、“ｄ”は、無限遠合焦状態での光軸上の各レンズ面の間隔（軸上面間隔）、“ｎｄ”は、各レンズのｄ線（波長５８７．５６ｎｍ）に対する屈折率、“νｄ”は、アッベ数をそれぞれ示している。なお、光学絞りＳＴ、平行平面板ＦＴの両面、撮像素子ＳＲの受光面の各面は、平面であるために、それらの曲率半径は、∞（無限大）である。
【０１６５】
上記の非球面データは、非球面とされている面（面データにおいて番号ｉに＊が付された面）の２次曲面パラメータ（円錐係数Ｋ）と非球面係数Ａｉ（ｉ＝４，６，８，１０，１２）の値とを示すものである。なお、光学面の非球面形状は、面頂点を原点、物体から撮像素子に向かう向きをｚ軸の正の方向とするローカルな直交座標系（ｘ，ｙ，ｚ）を用い、次式により定義している。
ｚ（ｈ）＝ｃｈ２／［１＋√｛１−(1＋Ｋ)ｃ２ｈ２}]＋ΣＡｉ・ｈｉ
ただし、ｚ（ｈ）：高さｈの位置でのｚ軸方向の変位量（面頂点基準）
ｈ：ｚ軸に対して垂直な方向の高さ（ｈ２＝ｘ２＋ｙ２）
ｃ：近軸曲率（＝１／曲率半径）
Ａｉ：ｉ次の非球面係数
Ｋ：２次曲面パラメータ（円錐係数）
以上のようなレンズ配置、構成のもとでの、実施例１の変倍光学系１Ａにおける各収差を図２６、図２７および図２８にそれぞれ示す。図２６は、広角端（Ｗ）における各収差を表し、図２７は、中間点（Ｍ）における各収差を表し、図２８は、望遠端（Ｔ）における各収差を表している。図２６（Ａ）、図２７（Ａ）および図２８（Ａ）の各図において左から順に、球面収差（正弦条件）（LONGITUDINAL SPHERICAL ABERRATION）、非点収差（ASTIGMATISM FIELD CURVER）および歪曲収差（DISTORTION）をそれぞれ示す。球面収差の横軸は、焦点位置のずれをｍｍ単位で表しており、その縦軸は、入射高で規格化した値で表している。非点収差の横軸は、焦点位置のずれをｍｍ単位で表しており、その縦軸は、像高をｍｍ単位で表している。歪曲収差の横軸は、実際の像高を理想像高に対する割合（％）で表しており、縦軸は、その像高をｍｍ単位で表している。また、非点収差の図中、破線は、タンジェンシャル（メリディオナル）面、実線は、サジタル（ラディアル）面における結果をそれぞれ表している。
【０１６６】
そして、図２６（Ｂ）、図２７（Ｂ）および図２８（Ｂ）に横収差を示し、左側がタンジェンシャル（TANGENTIAL）（メリディオナル）面の場合を示し、右側がサジタル（SAGITAL）（ラディアル）面の場合を示し、上から順に、最大画角の場合、中間画角の場合および軸上の場合をそれぞれ示す。主光線に対する入射光線高さをｍｍ単位で表しており、その縦軸は、像面での主光線からずれをｍｍ単位で表している。
【０１６７】
球面収差および横収差の図には、実線でｄ線（波長５８７．５６ｎｍ）、破線でｇ線（波長４３５．８４ｎｍ）、一点鎖線でＣ線（波長６５６．２８ｎｍ）の３つの光の収差をそれぞれ示してある。非点収差および歪曲収差の図は、上記ｄ線（波長５８７．５６ｎｍ）を用いた場合の結果である。
【０１６８】
以上のような扱いは、以下に示す実施例２〜１７にかかるコンストラクションデータ、各収差を示す図２９〜図７６においても同様である。
【実施例２】
【０１６９】
図６は、実施例２における変倍光学系におけるレンズ群の配列を示す断面図である。図２９は、実施例２の広角端におけるレンズ群の収差図である。図３０は、実施例２の中間点におけるレンズ群の収差図である。図３１は、実施例２の望遠端におけるレンズ群の収差図である。
【０１７０】
実施例２の変倍光学系１Ｂは、図６に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、図略の光学絞りＳＴを含む全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、図略の前記光学絞りＳＴは、第３レンズ群（Ｇｒ３）と共に移動する。
【０１７１】
より詳しくは、実施例２の変倍光学系１Ｂは、各レンズ群（Ｇｒ１、Ｇｒ２、Ｇｒ３、Ｇｒ４）が物体側から像側へ順に、次のように構成されている。
【０１７２】
第１レンズ群（Ｇｒ１）は、両凹の負レンズ（第１レンズＬ１）から構成されて成る。第１レンズＬ１は、両面が非球面であり、例えば、樹脂材料製レンズである。
【０１７３】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０１７４】
第３レンズ群（Ｇｒ３）は、両凸の正レンズ（第３レンズＬ３）と、像側に凸の負メニスカスレンズ（第４レンズＬ４）と、像側に凸の負メニスカスレンズ（第５レンズＬ５）とから構成されて成る。第３レンズＬ３は、物体側の面（片面）が非球面である。第５レンズＬ５は、両面が非球面であり、例えば、樹脂材料製レンズである。第３レンズＬ３と第４レンズＬ４とは接合レンズである。第３レンズ群（Ｇｒ３）には、図略の前記光学絞りＳＴが含まれ、第３レンズ群（Ｇｒ３）と共に移動するように第４レンズＬ４と第５レンズＬ５との間に配置されている。
【０１７５】
第４レンズ群（Ｇｒ４）は、両凸の正レンズ（第６レンズＬ６）から構成されて成る。第６レンズＬ６は、両面が非球面であり、例えば、樹脂材料製レンズである。
【０１７６】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１７７】
この実施例２の変倍光学系１Ｂでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、図略の前記光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０１７８】
実施例２の変倍光学系１Ｂにおける、各レンズのコンストラクションデータを以下に示す。
【０１７９】
数値実施例２
単位  ｍｍ
面データ
面番号          ｒ        ｄ        ｎｄ        νｄ
物面            ∞        ∞
１＊        -15.736      0.600      1.56200      45.00
２＊          4.227      可変
３＊          4.943      1.281      1.60700      27.10
４＊         11.513      可変
５＊          3.578      2.531      1.68966      52.97
６           -5.000      0.600      1.84666      23.78
７（絞り） -169.146      2.593
８＊         -2.243      0.600      1.53048      55.72
９＊         -3.990      可変
１０＊       33.750      1.373      1.60700      27.10
１１＊      -15.824      0.500
１２            ∞       0.500      1.51680      64.20
１３            ∞       0.500
像面            ∞
非球面データ
第１面
Ｋ＝0.0000e+000，Ａ４＝8.3888e-004，Ａ６＝-8.7451e-006，Ａ８＝-2.8550e-007，Ａ１０＝-5.5739e-009
第２面
Ｋ＝0.0000e+000，Ａ４＝-1.1121e-003，Ａ６＝2.6079e-005，Ａ８＝1.0053e-006，Ａ１０＝-7.4012e-007
第３面
Ｋ＝0.0000e+000，Ａ４＝1.5529e-004，Ａ６＝-1.4750e-005，Ａ８＝-3.9770e-006，Ａ１０＝8.8426e-008
第４面
Ｋ＝0.0000e+000，Ａ４＝1.3811e-003，Ａ６＝-1.1829e-004，Ａ８＝5.5867e-006，Ａ１０＝-7.1832e-008
第５面
Ｋ＝0.0000e+000，Ａ４＝-9.0305e-004，Ａ６＝-6.3508e-005，Ａ８＝-1.8241e-005，Ａ１０＝3.5254e-006
第８面
Ｋ＝0.0000e+000，Ａ４＝-1.6749e-002，Ａ６＝5.6394e-003，Ａ８＝-1.1796e-003，Ａ１０＝6.1027e-005
第９面
Ｋ＝0.0000e+000，Ａ４＝-8.5099e-003，Ａ６＝3.7945e-003，Ａ８＝-4.4544e-004，Ａ１０＝3.7935e-005
第１０面
Ｋ＝0.0000e+000，Ａ４＝-1.0569e-003，Ａ６＝-9.2783e-004，Ａ８＝1.3635e-004，Ａ１０＝-5.2426e-006
第１１面
Ｋ＝0.0000e+000，Ａ４＝3.0612e-003，Ａ６＝-2.1684e-003，Ａ８＝2.5058e-004，Ａ１０＝-8.4657e-006
各種データ
ズームデータ
ズーム比  2.77
広角      中間      望遠
焦点距離      4.524      8.644     12.514
Ｆナンバ      3.367      5.606      7.115
画角         38.513     22.610     16.049
像高          3.600      3.600      3.600
レンズ全長   19.830     19.830     19.830
ＢＦ          1.330      1.330      1.330
ｄ２          3.832      1.280      1.235
ｄ４          4.589      3.391      0.905
ｄ９          0.500      4.251      6.782
ズームレンズ群データ
群      始面      終面      焦点距離
１      １        ２        -5.865
２      ３        ４        13.292
３      ５        ９         6.854
４      １０      １１      17.935
以上のようなレンズ配置、構成のもとでの、実施例２の変倍光学系１Ｂにおける球面収差（正弦条件）、非点収差、歪曲収差および横収差を、図２９、図３０および図３１にそれぞれ示す。図２９は、広角端（Ｗ）における各収差を表し、図３０は、中間点（Ｍ）における各収差を表し、図３１は、望遠端（Ｔ）における各収差を表している。
【実施例３】
【０１８０】
図７は、実施例３における変倍光学系におけるレンズ群の配列を示す断面図である。図３２は、実施例３の広角端におけるレンズ群の収差図である。図３３は、実施例３の中間点におけるレンズ群の収差図である。図３４は、実施例３の望遠端におけるレンズ群の収差図である。
【０１８１】
実施例３の変倍光学系１Ｃは、図７に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、図略の光学絞りＳＴを含む全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、図略の前記光学絞りＳＴは、第３レンズ群（Ｇｒ３）と共に移動する。
【０１８２】
より詳しくは、実施例３の変倍光学系１Ｃは、各レンズ群（Ｇｒ１、Ｇｒ２、Ｇｒ３、Ｇｒ４）が物体側から像側へ順に、次のように構成されている。
【０１８３】
第１レンズ群（Ｇｒ１）は、両凹の負レンズ（第１レンズＬ１）から構成されて成る。第１レンズＬ１は、両面が非球面であり、例えば、樹脂材料製レンズである。
【０１８４】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０１８５】
第３レンズ群（Ｇｒ３）は、両凸の正レンズ（第３レンズＬ３）と、像側に凸の負メニスカスレンズ（第４レンズＬ４）と、像側に凸の負メニスカスレンズ（第５レンズＬ５）とから構成されて成る。第５レンズＬ５は、両面が非球面であり、例えば、樹脂材料製レンズである。第３レンズＬ３と第４レンズＬ４とは接合レンズである。第３レンズ群（Ｇｒ３）には、図略の前記光学絞りＳＴが含まれ、第３レンズ群（Ｇｒ３）と共に移動するように第４レンズＬ４と第５レンズＬ５との間に配置されている。
【０１８６】
第４レンズ群（Ｇｒ４）は、物体側に凸の正メニスカスレンズ（第６レンズＬ６）から構成されて成る。第６レンズＬ６は、両面が非球面であり、例えば、樹脂材料製レンズである。
【０１８７】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１８８】
この実施例３の変倍光学系１Ｃでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、図略の前記光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０１８９】
実施例３の変倍光学系１Ｃにおける、各レンズのコンストラクションデータを以下に示す。
【０１９０】
数値実施例３
単位  ｍｍ
面データ
面番号          ｒ        ｄ        ｎｄ        νｄ
物面            ∞        ∞
１＊        -18.663      0.600      1.53048      55.72
２＊          4.142      可変
３＊          5.135      1.060      1.63219      23.42
４＊         11.135      可変
５            3.899      1.388      1.71569      52.97
６           -4.313      1.318      1.89631      25.84
７（絞り）  -36.555      2.933
８＊         -2.226      0.600      1.53048      55.72
９＊         -3.619      可変
１０＊       11.659      1.232      1.63219      23.42
１１＊       45.554      0.607
１２            ∞       0.500      1.51680      64.20
１３            ∞       0.500
像面            ∞
非球面データ
第１面
Ｋ＝0.0000e+000，Ａ４＝1.1477e-003，Ａ６＝-1.7920e-005，Ａ８＝-6.1512e-007，Ａ＝1.7363e-008
第２面
Ｋ＝0.0000e+000，Ａ４＝-5.7644e-004，Ａ６＝5.0570e-005，Ａ８＝-3.8873e-006，Ａ１０＝-4.5793e-007
第３面
Ｋ＝0.0000e+000，Ａ４＝8.7133e-005，Ａ６＝-3.8908e-005，Ａ８＝-3.2575e-006，Ａ１０＝1.3750e-007
第４面
Ｋ＝0.0000e+000，Ａ４＝1.1285e-003，Ａ６＝-1.6758e-004，Ａ８＝1.1108e-005，Ａ１０＝-3.8656e-007
第８面
Ｋ＝0.0000e+000，Ａ４＝-9.0404e-003，Ａ６＝2.2302e-003，Ａ８＝1.2713e-003，Ａ１０＝-3.6164e-004
第９面
Ｋ＝0.0000e+000，Ａ４＝-4.8193e-003，Ａ６＝2.3738e-003，Ａ８＝9.3974e-005，Ａ１０＝-3.3523e-005
第１０面
Ｋ＝0.0000e+000，Ａ４＝2.7700e-003，Ａ６＝-1.5355e-003，Ａ８＝1.6588e-004，Ａ１０＝-5.5918e-006
第１１面
Ｋ＝0.0000e+000，Ａ４＝7.9188e-003，Ａ６＝-2.9539e-003，Ａ８＝2.8872e-004，Ａ１０＝-9.0032e-006
各種データ
ズームデータ
ズーム比  2.77
広角      中間      望遠
焦点距離      4.454      8.542     12.392
Ｆナンバ      3.481      5.629      7.112
画角         38.946     22.853     16.200
像高          3.600      3.600      3.600
レンズ全長   19.830     19.830     19.830
ＢＦ          1.437      1.437      1.437
ｄ２          4.608      1.401      1.173
ｄ４          4.019      3.378      0.951
ｄ９          0.635      4.484      7.139
ズームレンズ群データ
群      始面      終面      焦点距離
１      １        ２        -6.332
２      ３        ４        14.109
３      ５        ９         7.337
４      １０      １１      24.442
以上のようなレンズ配置、構成のもとでの、実施例３の変倍光学系１Ｃにおける球面収差（正弦条件）、非点収差、歪曲収差および横収差を、図３２、図３３および図３４にそれぞれ示す。図３２は、広角端（Ｗ）における各収差を表し、図３３は、中間点（Ｍ）における各収差を表し、図３４は、望遠端（Ｔ）における各収差を表している。
【実施例４】
【０１９１】
図８は、実施例４における変倍光学系におけるレンズ群の配列を示す断面図である。図３５は、実施例４の広角端におけるレンズ群の収差図である。図３６は、実施例４の中間点におけるレンズ群の収差図である。図３７は、実施例４の望遠端におけるレンズ群の収差図である。
【０１９２】
実施例４の変倍光学系１Ｄは、図８に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、図略の光学絞りＳＴを含む全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、図略の前記光学絞りＳＴは、第３レンズ群（Ｇｒ３）と共に移動する。
【０１９３】
より詳しくは、実施例４の変倍光学系１Ｄは、各レンズ群（Ｇｒ１、Ｇｒ２、Ｇｒ３、Ｇｒ４）が物体側から像側へ順に、次のように構成されている。
【０１９４】
第１レンズ群（Ｇｒ１）は、両凹の負レンズ（第１レンズＬ１）から構成されて成る。第１レンズＬ１は、両面が非球面であり、例えば、樹脂材料製レンズである。
【０１９５】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０１９６】
第３レンズ群（Ｇｒ３）は、両凸の正レンズ（第３レンズＬ３）と、両凹の負レンズ（第４レンズＬ４）と、像側に凸の負メニスカスレンズ（第５レンズＬ５）とから構成されて成る。第５レンズＬ５は、両面が非球面であり、例えば、樹脂材料製レンズである。第３レンズＬ３と第４レンズＬ４とは接合レンズである。第３レンズ群（Ｇｒ３）には、図略の前記光学絞りＳＴが含まれ、第３レンズ群（Ｇｒ３）と共に移動するように第４レンズＬ４と第５レンズＬ５との間に配置されている。
【０１９７】
第４レンズ群（Ｇｒ４）は、物体側に凸の正メニスカスレンズ（第６レンズＬ６）から構成されて成る。第６レンズＬ６は、両面が非球面であり、例えば、樹脂材料製レンズである。
【０１９８】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１９９】
この実施例４の変倍光学系１Ｄでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、図略の前記光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２００】
実施例４の変倍光学系１Ｄにおける、各レンズのコンストラクションデータを以下に示す。
【０２０１】
数値実施例４
単位  ｍｍ
面データ
面番号          ｒ        ｄ        ｎｄ        νｄ
物面            ∞        ∞
１＊        -35.293      0.600      1.53500      56.00
２＊          4.184      可変
３＊          5.194      0.947      1.62206      23.93
４＊         10.188      可変
５            3.552      1.429      1.75450      51.57
６           -5.332      1.646      1.92677      26.17
７（絞り）   58.925      2.069
８＊         -1.961      0.920      1.56200      45.00
９＊         -3.079      可変
１０＊       10.215      1.503      1.53500      56.00
１１＊       76.664      0.740
１２            ∞       0.500      1.51680      64.20
１３            ∞       0.500
像面            ∞
非球面データ
第１面
Ｋ＝0.0000e+000，Ａ４＝6.2778e-004，Ａ６＝-1.0141e-006，Ａ８＝-1.2777e-006，Ａ１０＝2.9962e-008
第２面
Ｋ＝0.0000e+000，Ａ４＝-8.3701e-004，Ａ６＝4.5830e-005，Ａ８＝-6.8115e-006，Ａ１０＝-2.8402e-007
第３面
Ｋ＝0.0000e+000，Ａ４＝-6.9159e-005，Ａ６＝-1.0999e-004，Ａ８＝5.0801e-006，Ａ１０＝-2.0538e-007
第４面
Ｋ＝0.0000e+000，Ａ４＝6.9923e-004，Ａ６＝-2.3048e-004，Ａ８＝2.2631e-005，Ａ１０＝-9.6492e-007
第８面
Ｋ＝0.0000e+000，Ａ４＝-1.1449e-002，Ａ６＝8.0386e-003，Ａ８＝-2.6118e-003，Ａ１０＝4.5063e-004
第９面
Ｋ＝0.0000e+000，Ａ４＝-3.6321e-003，Ａ６＝2.6926e-003，Ａ８＝-2.2932e-004，Ａ１０＝2.9553e-005
第１０面
Ｋ＝0.0000e+000，Ａ４＝-6.5782e-004，Ａ６＝-1.1217e-003，Ａ８＝1.3757e-004，Ａ１０＝-4.9522e-006
第１１面
Ｋ＝0.0000e+000，Ａ４＝2.3760e-003，Ａ６＝-2.2707e-003，Ａ８＝2.3947e-004，Ａ１０＝-7.6234e-006
各種データ
ズームデータ
ズーム比  2.79
広角      中間      望遠
焦点距離      4.454      8.548     12.403
Ｆナンバ      3.501      5.635      7.116
画角         38.950     22.839     16.185
像高          3.600      3.600      3.600
レンズ全長   19.830     19.830     19.830
ＢＦ          1.571      1.570      1.570
ｄ２          5.019      1.226      0.950
ｄ４          3.628      3.522      1.090
ｄ９          0.500      4.398      7.106
ズームレンズ群データ
群      始面      終面      焦点距離
１      １        ２        -6.955
２      ３        ４        15.880
３      ５        ９         7.466
４      １０      １１      21.855
以上のようなレンズ配置、構成のもとでの、実施例４の変倍光学系１Ｄにおける球面収差（正弦条件）、非点収差、歪曲収差および横収差を、図３５、図３６および図３７にそれぞれ示す。図３５は、広角端（Ｗ）における各収差を表し、図３６は、中間点（Ｍ）における各収差を表し、図３７は、望遠端（Ｔ）における各収差を表している。
【実施例５】
【０２０２】
図９は、実施例５における変倍光学系におけるレンズ群の配列を示す断面図である。図３８は、実施例５の広角端におけるレンズ群の収差図である。図３９は、実施例５の中間点におけるレンズ群の収差図である。図４０は、実施例５の望遠端におけるレンズ群の収差図である。
【０２０３】
実施例５の変倍光学系１Ｅは、図９に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２０４】
より詳しくは、実施例５の変倍光学系１Ｅは、各レンズ群（Ｇｒ１、Ｇｒ２、Ｇｒ３、Ｇｒ４）が物体側から像側へ順に、次のように構成されている。
【０２０５】
第１レンズ群（Ｇｒ１）は、両凹の負レンズ（第１レンズＬ１）から構成されて成る。第１レンズＬ１は、両面が非球面であり、例えば、樹脂材料製レンズである。
【０２０６】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０２０７】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面である。第４レンズＬ４と第５レンズＬ５とは接合レンズである。
【０２０８】
第４レンズ群（Ｇｒ４）は、両凸の正レンズ（第６レンズＬ６）から構成されて成る。第６レンズＬ６は、両面が非球面である。
【０２０９】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２１０】
この実施例５の変倍光学系１Ｅでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２１１】
実施例５の変倍光学系１Ｅにおける、各レンズのコンストラクションデータを以下に示す。
【０２１２】
数値実施例５
単位  ｍｍ
面データ
面番号          ｒ        ｄ        ｎｄ        νｄ
物面            ∞        ∞
１＊        -28.397      0.800      1.56200      45.00
２＊          4.080      可変
３＊          5.487      1.363      1.63219      23.42
４＊         13.515      可変
５（絞り）      ∞       0.000
６＊          3.493      0.873      1.64982      55.98
７＊        -15.819      0.100
８            5.138      0.834      2.00240      28.28
９            1.891      0.956      1.75935      50.74
１０          2.608      可変
１１＊       27.147      1.234      1.79850      22.60
１２＊      -17.576      0.500
１３            ∞       0.500      1.51680      64.20
１４            ∞       0.500
像面            ∞
非球面データ
第１面
Ｋ＝0.0000e+000，Ａ４＝4.5445e-004，Ａ６＝3.0571e-006，Ａ８＝-2.1250e-007，Ａ１０＝-1.0183e-008
第２面
Ｋ＝0.0000e+000，Ａ４＝-8.4371e-004，Ａ６＝8.7075e-005，Ａ８＝-1.0617e-005，Ａ１０＝-1.6578e-007
第３面
Ｋ＝0.0000e+000，Ａ４＝-9.2997e-004，Ａ６＝4.3916e-005，Ａ８＝-4.6851e-005，Ａ１０＝3.2490e-006
第４面
Ｋ＝0.0000e+000，Ａ４＝-1.9674e-004，Ａ６＝-2.3798e-004，Ａ８＝-3.5194e-006，Ａ１０＝1.7967e-006
第６面
Ｋ＝0.0000e+000，Ａ４＝-2.2750e-003，Ａ６＝-4.2532e-004，Ａ８＝1.5998e-004，Ａ１０＝-4.5548e-005
第７面
Ｋ＝0.0000e+000，Ａ４＝1.1398e-003，Ａ６＝-5.1589e-004，Ａ８＝3.3494e-004，Ａ１０＝-9.4742e-005
第１１面
Ｋ＝0.0000e+000，Ａ４＝7.6708e-004，Ａ６＝-4.8119e-004，Ａ８＝5.0498e-005，Ａ１０＝-1.5608e-006
第１２面
Ｋ＝0.0000e+000，Ａ４＝1.6265e-003，Ａ６＝-7.2314e-004，Ａ８＝7.3299e-005，Ａ１０＝-2.2196e-006
各種データ
ズームデータ
ズーム比  2.79
広角      中間      望遠
焦点距離      4.756      8.880     13.697
Ｆナンバ      3.552      5.507      7.098
画角         37.125     22.068     14.726
像高          3.600      3.600      3.600
レンズ全長   19.829     19.829     19.829
ＢＦ          1.329      1.328      1.327
ｄ２          3.451      0.902      0.927
ｄ４          5.318      4.088      0.987
ｄ１０        3.572      7.352     10.427
ズームレンズ群データ
群      始面      終面      焦点距離
１      １        ２        -6.292
２      ３        ４        13.710
３      ５        １０       7.018
４      １１      １２      13.527
以上のようなレンズ配置、構成のもとでの、実施例５の変倍光学系１Ｅにおける球面収差（正弦条件）、非点収差、歪曲収差および横収差を、図３８、図３９および図４０にそれぞれ示す。図３８は、広角端（Ｗ）における各収差を表し、図３９は、中間点（Ｍ）における各収差を表し、図４０は、望遠端（Ｔ）における各収差を表している。
【実施例６】
【０２１３】
図１０は、実施例６における変倍光学系におけるレンズ群の配列を示す断面図である。図４１は、実施例６の広角端におけるレンズ群の収差図である。図４２は、実施例６の中間点におけるレンズ群の収差図である。図４３は、実施例６の望遠端におけるレンズ群の収差図である。
【０２１４】
実施例６の変倍光学系１Ｆは、図１０に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２１５】
より詳しくは、実施例６の変倍光学系１Ｆは、各レンズ群（Ｇｒ１、Ｇｒ２、Ｇｒ３、Ｇｒ４）が物体側から像側へ順に、次のように構成されている。
【０２１６】
第１レンズ群（Ｇｒ１）は、両凹の負レンズ（第１レンズＬ１）から構成されて成る。第１レンズＬ１は、両面が非球面であり、例えば、樹脂材料製レンズである。
【０２１７】
第２レンズ群（Ｇｒ２）は、物体側に凸の正メニスカスレンズ（第２レンズＬ２）から構成されて成る。第２レンズＬ２は、両面が非球面である。
【０２１８】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面である。第４レンズＬ４と第５レンズＬ５とは接合レンズである。
【０２１９】
第４レンズ群（Ｇｒ４）は、両凸の正レンズ（第６レンズＬ６）から構成されて成る。第６レンズＬ６は、両面が非球面である。
【０２２０】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２２１】
この実施例６の変倍光学系１Ｆでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２２２】
実施例６の変倍光学系１Ｆにおける、各レンズのコンストラクションデータを以下に示す。
【０２２３】
数値実施例６
単位  ｍｍ
面データ
面番号          ｒ        ｄ        ｎｄ        νｄ
物面            ∞        ∞
１＊        -21.698      0.800      1.56200      45.00
２＊          4.088      可変
３＊          6.006      1.294      1.78968      26.85
４＊         14.620      可変
５（絞り）      ∞       0.000
６＊          3.664      1.094      1.64165      56.42
７＊        -15.586      0.100
８            5.107      0.800      2.00330      28.30
９            1.983      0.948      1.75107      51.68
１０          2.709      可変
１１＊       27.327      1.257      1.69702      26.74
１２＊      -16.072      0.500
１３            ∞       0.500      1.51680      64.20
１４            ∞       0.500
像面            ∞
非球面データ
第１面
Ｋ＝0.0000e+000，Ａ４＝5.7512e-004，Ａ６＝2.5756e-006，Ａ８＝-3.2671e-007，Ａ１０＝-8.3058e-009
第２面
Ｋ＝0.0000e+000，Ａ４＝-1.0697e-003，Ａ６＝1.1491e-004，Ａ８＝-1.2523e-005，Ａ１０＝-1.1449e-007
第３面
Ｋ＝0.0000e+000，Ａ４＝-1.0360e-003，Ａ６＝4.8358e-005，Ａ８＝-4.0550e-005，Ａ１０＝2.7572e-006
第４面
Ｋ＝0.0000e+000，Ａ４＝-4.8068e-004，Ａ６＝-1.8178e-004，Ａ８＝-7.3923e-006，Ａ１０＝1.7046e-006
第６面
Ｋ＝0.0000e+000，Ａ４＝-2.1690e-003，Ａ６＝-2.2591e-004，Ａ８＝3.3589e-005，Ａ１０＝-9.2453e-006
第７面
Ｋ＝0.0000e+000，Ａ４＝9.7843e-004，Ａ６＝-4.1651e-004，Ａ８＝2.4911e-004，Ａ１０＝-6.6099e-005
第１１面
Ｋ＝0.0000e+000，Ａ４＝4.7217e-004，Ａ６＝-4.7438e-004，Ａ８＝5.0892e-005，Ａ１０＝-1.5944e-006
第１２面
Ｋ＝0.0000e+000，Ａ４＝1.2354e-003，Ａ６＝-7.0781e-004，Ａ８＝7.3472e-005，Ａ１０＝-2.2484e-006
各種データ
ズームデータ
ズーム比  2.88
広角      中間      望遠
焦点距離      4.746      8.869     13.687
Ｆナンバ      3.499      5.480      7.105
画角         37.179     22.092     14.737
像高          3.600      3.600      3.600
レンズ全長   19.820     19.820     19.820
ＢＦ          1.330      1.330      1.330
ｄ２          3.520      1.032      0.897
ｄ４          5.375      4.052      1.069
ｄ１０        3.303      7.113     10.232
ズームレンズ群データ
群      始面      終面      焦点距離
１      １        ２        -6.053
２      ３        ４        12.106
３      ５        １０       7.288
４      １１      １２      14.694
以上のようなレンズ配置、構成のもとでの、実施例６の変倍光学系１Ｆにおける球面収差（正弦条件）、非点収差、歪曲収差および横収差を、図４１、図４２および図４３にそれぞれ示す。図４１は、広角端（Ｗ）における各収差を表し、図４２は、中間点（Ｍ）における各収差を表し、図４３は、望遠端（Ｔ）における各収差を表している。
【実施例７】
【０２２４】
図１１は、実施例７における変倍光学系におけるレンズ群の配列を示す断面図である。図４４は、実施例７の広角端におけるレンズ群の収差図である。図４５は、実施例７の中間点におけるレンズ群の収差図である。図４６は、実施例７の望遠端におけるレンズ群の収差図である。
【０２２５】
実施例７の変倍光学系１Ｇは、図１１に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２２６】
より詳しくは、実施例７の変倍光学系１Ｇは、各レンズ群（Ｇｒ１、Ｇｒ２、Ｇｒ３、Ｇｒ４）が物体側から像側へ順に、次のように構成されている。
【０２２７】
第１レンズ群（Ｇｒ１）は、両凹の負レンズ（第１レンズＬ１）から構成されて成る。第１レンズＬ１は、両面が非球面であり、例えば、樹脂材料製レンズである。
【０２２８】
第２レンズ群（Ｇｒ２）は、物体側に凸の正メニスカスレンズ（第２レンズＬ２）から構成されて成る。第２レンズＬ２は、両面が非球面である。
【０２２９】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面である。第４レンズＬ４と第５レンズＬ５とは接合レンズである。
【０２３０】
第４レンズ群（Ｇｒ４）は、両凸の正レンズ（第６レンズＬ６）から構成されて成る。第６レンズＬ６は、両面が非球面であり、例えば、樹脂材料製レンズである。
【０２３１】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２３２】
この実施例７の変倍光学系１Ｇでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２３３】
実施例７の変倍光学系１Ｇにおける、各レンズのコンストラクションデータを以下に示す。
【０２３４】
数値実施例７
単位  ｍｍ
面データ
面番号          ｒ        ｄ        ｎｄ        νｄ
物面            ∞        ∞
１＊        -20.638      0.800      1.56200      45.00
２＊          4.069      可変
３＊          6.025      1.269      1.84380      26.62
４＊         13.451      可変
５（絞り）      ∞       0.000
６＊          3.730      1.207      1.65159      55.88
７＊        -15.083      0.100
８            5.243      0.800      2.00330      28.30
９            1.976      0.960      1.75292      51.62
１０          2.780      可変
１１＊       24.906      1.307      1.62206      23.93
１２＊      -14.893      0.500
１３            ∞       0.500      1.51680      64.20
１４            ∞       0.500
像面            ∞
非球面データ
第１面
Ｋ＝0.0000e+000，Ａ４＝6.8169e-004，Ａ６＝9.2223e-007，Ａ８＝-4.4900e-007，Ａ１０＝-5.2971e-009
第２面
Ｋ＝0.0000e+000，Ａ４＝-1.0292e-003，Ａ６＝1.2968e-004，Ａ８＝-1.3710e-005，Ａ１０＝-1.4939e-007
第３面
Ｋ＝0.0000e+000，Ａ４＝-9.4782e-004，Ａ６＝4.2602e-005，Ａ８＝-4.0174e-005，Ａ１０＝2.7335e-006
第４面
Ｋ＝0.0000e+000，Ａ４＝-3.8376e-004，Ａ６＝-1.9506e-004，Ａ８＝-7.3268e-006，Ａ１０＝1.7509e-006
第６面
Ｋ＝0.0000e+000，Ａ４＝-2.1524e-003，Ａ６＝-9.2192e-005，Ａ８＝-4.2585e-005，Ａ１０＝8.3128e-006
第７面
Ｋ＝0.0000e+000，Ａ４＝9.0241e-004，Ａ６＝-2.1345e-004，Ａ８＝1.2276e-004，Ａ１０＝-3.6650e-005
第１１面
Ｋ＝0.0000e+000，Ａ４＝3.6693e-004，Ａ６＝-4.5786e-004，Ａ８＝4.9952e-005，Ａ１０＝-1.5761e-006
第１２面
Ｋ＝0.0000e+000，Ａ４＝1.1535e-003，Ａ６＝-7.0277e-004，Ａ８＝7.4100e-005，Ａ１０＝-2.2865e-006
各種データ
ズームデータ
ズーム比  2.88
広角      中間      望遠
焦点距離      4.748      8.871     13.690
Ｆナンバ      3.504      5.488      7.106
画角         37.172     22.089     14.733
像高          3.600      3.600      3.600
レンズ全長   19.820     19.820     19.820
ＢＦ          1.330      1.330      1.330
ｄ２          3.436      1.024      0.923
ｄ４          5.427      4.034      1.038
ｄ１０        3.184      6.989     10.086
ズームレンズ群データ
群      始面      終面      焦点距離
１      １        ２        -5.978
２      ３        ４        11.995
３      ５        １０       7.196
４      １１      １２      15.173
以上のようなレンズ配置、構成のもとでの、実施例７の変倍光学系１Ｇにおける球面収差（正弦条件）、非点収差、歪曲収差および横収差を、図４４、図４５および図４６にそれぞれ示す。図４４は、広角端（Ｗ）における各収差を表し、図４５は、中間点（Ｍ）における各収差を表し、図４６は、望遠端（Ｔ）における各収差を表している。
【実施例８】
【０２３５】
図１２は、実施例８における変倍光学系におけるレンズ群の配列を示す断面図である。図４７は、実施例８の広角端におけるレンズ群の収差図である。図４８は、実施例８の中間点におけるレンズ群の収差図である。図４９は、実施例８の望遠端におけるレンズ群の収差図である。
【０２３６】
実施例８の変倍光学系１Ｈは、図１２に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２３７】
より詳しくは、実施例８の変倍光学系１Ｈは、各レンズ群（Ｇｒ１、Ｇｒ２、Ｇｒ３、Ｇｒ４）が物体側から像側へ順に、次のように構成されている。
【０２３８】
第１レンズ群（Ｇｒ１）は、両凹の負レンズ（第１レンズＬ１）から構成されて成る。第１レンズＬ１は、両面が非球面であり、例えば、樹脂材料製レンズである。
【０２３９】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０２４０】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面である。第４レンズＬ４と第５レンズＬ５とは接合レンズである。
【０２４１】
第４レンズ群（Ｇｒ４）は、両凸の正レンズ（第６レンズＬ６）から構成されて成る。第６レンズＬ６は、両面が非球面であり、例えば、樹脂材料製レンズである。
【０２４２】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２４３】
この実施例８の変倍光学系１Ｈでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２４４】
実施例８の変倍光学系１Ｈにおける、各レンズのコンストラクションデータを以下に示す。
【０２４５】
数値実施例８
単位  ｍｍ
面データ
面番号          ｒ        ｄ        ｎｄ        νｄ
物面            ∞        ∞
１＊        -22.193      0.800      1.56200      45.00
２＊          4.165      可変
３＊          5.583      1.329      1.63219      23.42
４＊         14.387      可変
５（絞り）      ∞       0.000
６＊          3.524      0.866      1.66731      55.09
７＊        -15.959      0.100
８            5.289      0.814      2.00330      28.30
９            1.923      1.042      1.75644      51.23
１０          2.593      可変
１１＊       25.019      1.409      1.62206      23.93
１２＊      -11.960      0.500
１３            ∞       0.500      1.51680      64.20
１４            ∞       0.500
像面            ∞
非球面データ
第１面
Ｋ＝0.0000e+000，Ａ４＝7.2947e-004，Ａ６＝2.2629e-007，Ａ８＝-4.7074e-007，Ａ１０＝-2.0175e-009
第２面
Ｋ＝0.0000e+000，Ａ４＝-5.7871e-004，Ａ６＝1.2066e-004，Ａ８＝-1.1405e-005，Ａ１０＝-1.2216e-007
第３面
Ｋ＝0.0000e+000，Ａ４＝-8.9895e-004，Ａ６＝3.9065e-005，Ａ８＝-4.4546e-005，Ａ１０＝2.9806e-006
第４面
Ｋ＝0.0000e+000，Ａ４＝-1.2051e-004，Ａ６＝-2.4631e-004，Ａ８＝-2.4454e-006，Ａ１０＝1.5389e-006
第６面
Ｋ＝0.0000e+000，Ａ４＝-2.3484e-003，Ａ６＝-2.9348e-004，Ａ８＝8.3184e-005，Ａ１０＝-2.7965e-005
第７面
Ｋ＝0.0000e+000，Ａ４＝9.9152e-004，Ａ６＝-3.3774e-004，Ａ８＝2.2153e-004，Ａ１０＝-6.7554e-005
第１１面
Ｋ＝0.0000e+000，Ａ４＝5.4287e-004，Ａ６＝-4.5740e-004，Ａ８＝4.9793e-005，Ａ１０＝-1.5972e-006
第１２面
Ｋ＝0.0000e+000，Ａ４＝1.6929e-003，Ａ６＝-7.1668e-004，Ａ８＝7.3875e-005，Ａ１０＝-2.2884e-006
各種データ
ズームデータ
ズーム比  2.88
広角      中間      望遠
焦点距離      4.751      8.870     13.676
Ｆナンバ      3.588      5.516      7.094
画角         37.153     22.090     14.748
像高          3.600      3.600      3.600
レンズ全長   19.820     19.820     19.820
ＢＦ          1.330      1.330      1.330
ｄ２          3.254      0.860      0.940
ｄ４          5.497      4.104      0.959
ｄ１０        3.378      7.165     10.230
ズームレンズ群データ
群      始面      終面      焦点距離
１      １        ２        -6.173
２      ３        ４        13.634
３      ５        １０       6.948
４      １１      １２      13.201
以上のようなレンズ配置、構成のもとでの、実施例８の変倍光学系１Ｈにおける球面収差（正弦条件）、非点収差、歪曲収差および横収差を、図４７、図４８および図４９にそれぞれ示す。図４７は、広角端（Ｗ）における各収差を表し、図４８は、中間点（Ｍ）における各収差を表し、図４９は、望遠端（Ｔ）における各収差を表している。
【実施例９】
【０２４６】
図１３は、実施例９における変倍光学系におけるレンズ群の配列を示す断面図である。図５０は、実施例９の広角端におけるレンズ群の収差図である。図５１は、実施例９の中間点におけるレンズ群の収差図である。図５２は、実施例９の望遠端におけるレンズ群の収差図である。
【０２４７】
実施例９の変倍光学系１Ｉは、図１３に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２４８】
より詳しくは、実施例９の変倍光学系１Ｉは、各レンズ群（Ｇｒ１、Ｇｒ２、Ｇｒ３、Ｇｒ４）が物体側から像側へ順に、次のように構成されている。
【０２４９】
第１レンズ群（Ｇｒ１）は、両凹の負レンズ（第１レンズＬ１）から構成されて成る。第１レンズＬ１は、両面が非球面であり、例えば、樹脂材料製レンズである。
【０２５０】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０２５１】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面であり、例えば、樹脂材料製レンズである。第４レンズＬ４と第５レンズＬ５とは接合レンズである。
【０２５２】
第４レンズ群（Ｇｒ４）は、両凸の正レンズ（第６レンズＬ６）から構成されて成る。第６レンズＬ６は、両面が非球面であり、例えば、樹脂材料製レンズである。
【０２５３】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２５４】
この実施例９の変倍光学系１Ｉでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２５５】
実施例９の変倍光学系１Ｉにおける、各レンズのコンストラクションデータを以下に示す。
【０２５６】
数値実施例９
単位  ｍｍ
面データ
面番号          ｒ        ｄ        ｎｄ        νｄ
物面            ∞        ∞
１＊        -22.214      0.800      1.56200      45.00
２＊          4.155      可変
３＊          5.903      1.302      1.63219      23.42
４＊         16.502      可変
５（絞り）      ∞       0.000
６＊          3.361      0.800      1.53048      55.72
７＊        -10.713      0.100
８            4.827      0.800      1.96100      27.13
９            1.881      1.141      1.78887      46.39
１０          2.517      可変
１１＊       21.509      1.347      1.62206      23.93
１２＊      -14.703      0.500
１３            ∞       0.500      1.51680      64.20
１４            ∞       0.500
像面            ∞
非球面データ
第１面
Ｋ＝0.0000e+000，Ａ４＝8.2318e-004，Ａ６＝-1.3616e-006，Ａ８＝-4.0366e-007，Ａ１０＝-6.9672e-009
第２面
Ｋ＝0.0000e+000，Ａ４＝-5.1801e-004，Ａ６＝1.4854e-004，Ａ８＝-1.3227e-005，Ａ１０＝-1.1573e-007
第３面
Ｋ＝0.0000e+000，Ａ４＝-1.1200e-003，Ａ６＝2.0824e-005，Ａ８＝-5.5172e-005，Ａ１０＝3.8337e-006
第４面
Ｋ＝0.0000e+000，Ａ４＝-4.1291e-004，Ａ６＝-3.3622e-004，Ａ８＝1.7020e-006，Ａ１０＝1.5885e-006
第６面
Ｋ＝0.0000e+000，Ａ４＝-2.5825e-003，Ａ６＝-7.9069e-004，Ａ８＝4.4697e-004，Ａ１０＝-1.2103e-004
第７面
Ｋ＝0.0000e+000，Ａ４＝1.4718e-003，Ａ６＝-7.6658e-004，Ａ８＝5.7107e-004，Ａ１０＝-1.5602e-004
第１１面
Ｋ＝0.0000e+000，Ａ４＝7.5836e-004，Ａ６＝-4.4780e-004，Ａ８＝4.8304e-005，Ａ１０＝-1.5091e-006
第１２面
Ｋ＝0.0000e+000，Ａ４＝2.0933e-003，Ａ６＝-7.6979e-004，Ａ８＝7.8137e-005，Ａ１０＝-2.3889e-006
各種データ
ズームデータ
ズーム比  2.88
広角      中間      望遠
焦点距離      4.749      8.870     13.680
Ｆナンバ      3.570      5.519      7.097
画角         37.166     22.090     14.744
像高          3.600      3.600      3.600
レンズ全長   19.820     19.820     19.820
ＢＦ          1.330      1.330      1.330
ｄ２          3.223      0.816      0.921
ｄ４          5.519      4.138      0.967
ｄ１０        3.458      7.247     10.312
ズームレンズ群データ
群      始面      終面      焦点距離
１      １        ２        -6.161
２      ３        ４        13.878
３      ５        １０       6.922
４      １１      １２      14.242
以上のようなレンズ配置、構成のもとでの、実施例９の変倍光学系１Ｉにおける球面収差（正弦条件）、非点収差、歪曲収差および横収差を、図５０、図５１および図５２にそれぞれ示す。図５０は、広角端（Ｗ）における各収差を表し、図５１は、中間点（Ｍ）における各収差を表し、図５２は、望遠端（Ｔ）における各収差を表している。
【実施例１０】
【０２５７】
図１４は、実施例１０における変倍光学系におけるレンズ群の配列を示す断面図である。図１５は、実施例１０の変倍光学系の変倍における各レンズ群の移動の様子を示す図である。なお、図１５は、実施例１６の場合も示している。図５３は、実施例１０の広角端におけるレンズ群の収差図である。図５４は、実施例１０の中間点におけるレンズ群の収差図である。図５５は、実施例１０の望遠端におけるレンズ群の収差図である。
【０２５８】
実施例１０の変倍光学系１Ｊは、図１４に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図１５に示すように、第１レンズ群（Ｇｒ１）と第２レンズ群（Ｇｒ２）と第３レンズ群（Ｇｒ３）とが移動し、第４レンズ群（Ｇｒ４）が固定され、光学絞りＳＴは、第３レンズ群（Ｇｒ３）と共に移動する。
【０２５９】
より詳しくは、実施例１０の変倍光学系１Ｊは、各レンズ群（Ｇｒ１、Ｇｒ２、Ｇｒ３、Ｇｒ４）が物体側から像側へ順に、次のように構成されている。
【０２６０】
第１レンズ群（Ｇｒ１）は、両凹の負レンズ（第１レンズＬ１）から構成されて成る。第１レンズＬ１は、両面が非球面であり、例えば、樹脂材料製レンズである。
【０２６１】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０２６２】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面である。第４レンズＬ４と第５レンズＬ５とは接合レンズである。
【０２６３】
第４レンズ群（Ｇｒ４）は、両凸の正レンズ（第６レンズＬ６）から構成されて成る。第６レンズＬ６は、両面が非球面であり、例えば、樹脂材料製レンズである。
【０２６４】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２６５】
この実施例１０の変倍光学系１Ｊでは、広角端（Ｗ）から中間点（Ｍ）を経て望遠端（Ｔ）への変倍時に、図１５に示すように、第１レンズ群（Ｇｒ１）は、像面に対して接離するように曲線的（中間点をピークに像側に凸となる曲線）に移動され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２６６】
実施例１０の変倍光学系１Ｊにおける、各レンズのコンストラクションデータを以下に示す。
【０２６７】
数値実施例１０
単位  ｍｍ
面データ
面番号          ｒ        ｄ        ｎｄ        νｄ
物面            ∞        ∞
１＊        -23.543      0.800      1.56200      45.00
２＊          4.333      可変
３＊          5.834      1.281      1.63219      23.42
４＊         14.598      可変
５（絞り）      ∞       0.000
６＊          3.581      0.926      1.70964      53.21
７＊        -17.326      0.100
８            5.583      0.842      2.00330      28.30
９            1.890      0.956      1.75450      51.57
１０          2.657      可変
１１＊       27.352      1.366      1.62206      23.93
１２＊      -11.796      0.500
１３            ∞       0.500      1.51680      64.20
１４            ∞       0.500
像面            ∞
非球面データ
第１面
Ｋ＝0.0000e+000，Ａ４＝8.0397e-004，Ａ６＝-7.9202e-007，Ａ８＝-2.9238e-007，Ａ１０＝-1.0527e-008
第２面
Ｋ＝0.0000e+000，Ａ４＝-1.0253e-004，Ａ６＝1.0917e-004，Ａ８＝-7.9442e-006，Ａ１０＝-1.7950e-007
第３面
Ｋ＝0.0000e+000，Ａ４＝-9.1030e-004，Ａ６＝1.4886e-007，Ａ８＝-5.5620e-005，Ａ１０＝4.0843e-006
第４面
Ｋ＝0.0000e+000，Ａ４＝-3.3234e-004，Ａ６＝-3.3707e-004，Ａ８＝-1.8032e-006，Ａ１０＝2.0772e-006
第６面
Ｋ＝0.0000e+000，Ａ４＝-2.2965e-003，Ａ６＝-1.8695e-004，Ａ８＝4.2233e-005，Ａ１０＝-2.3538e-005
第７面
Ｋ＝0.0000e+000，Ａ４＝9.5874e-004，Ａ６＝-2.1037e-004，Ａ８＝1.5668e-004，Ａ１０＝-5.8480e-005
第１１面
Ｋ＝0.0000e+000，Ａ４＝8.1991e-004，Ａ６＝-4.4143e-004，Ａ８＝4.7456e-005，Ａ１０＝-1.5284e-006
第１２面
Ｋ＝0.0000e+000，Ａ４＝2.5696e-003，Ａ６＝-7.7278e-004，Ａ８＝7.5362e-005，Ａ１０＝-2.3086e-006
各種データ
ズームデータ
ズーム比  2.88
広角      中間      望遠
焦点距離      4.754      8.865     13.681
Ｆナンバ      3.601      5.434      7.096
画角         37.136     22.103     14.742
像高          3.600      3.600      3.600
レンズ全長   19.820     19.040     19.416
ＢＦ          1.330      1.330      1.330
ｄ２          3.427      1.100      0.958
ｄ４          5.393      3.453      0.809
ｄ１０        3.400      6.889     10.050
ｄ１４        0.501      0.500      0.500
ズームレンズ群データ
群      始面      終面      焦点距離
１      １        ２        -6.445
２      ３        ４        14.546
３      ５        １０       6.940
４      １１      １２      13.428
以上のようなレンズ配置、構成のもとでの、実施例１０の変倍光学系１Ｊにおける球面収差（正弦条件）、非点収差、歪曲収差および横収差を、図５３、図５４および図５５にそれぞれ示す。図５３は、広角端（Ｗ）における各収差を表し、図５４は、中間点（Ｍ）における各収差を表し、図５５は、望遠端（Ｔ）における各収差を表している。
【実施例１１】
【０２６８】
図１６は、実施例１１における変倍光学系におけるレンズ群の配列を示す断面図である。図１７は、実施例１１の変倍光学系の変倍における各レンズ群の移動の様子を示す図である。図５６は、実施例１１の広角端におけるレンズ群の収差図である。図５７は、実施例１１の中間点におけるレンズ群の収差図である。図５８は、実施例１１の望遠端におけるレンズ群の収差図である。
【０２６９】
実施例１１の変倍光学系１Ｋは、図１６に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、図略の光学絞りＳＴを含む全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図１７に示すように、第１レンズ群（Ｇｒ１）が固定され、第２レンズ群（Ｇｒ２）と第３レンズ群（Ｇｒ３）と第４レンズ群（Ｇｒ４）とが移動し、光学絞りＳＴは、第３レンズ群（Ｇｒ３）と共に移動する。
【０２７０】
より詳しくは、実施例１１の変倍光学系１Ｋは、各レンズ群（Ｇｒ１、Ｇｒ２、Ｇｒ３、Ｇｒ４）が物体側から像側へ順に、次のように構成されている。
【０２７１】
第１レンズ群（Ｇｒ１）は、両凹の負レンズ（第１レンズＬ１）から構成されて成る。第１レンズＬ１は、両面が非球面であり、例えば、樹脂材料製レンズである。
【０２７２】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０２７３】
第３レンズ群（Ｇｒ３）は、両凸の正レンズ（第３レンズＬ３）と、像側に凸の負メニスカスレンズ（第４レンズＬ４）と、像側に凸の負メニスカスレンズ（第５レンズＬ５）とから構成されて成る。第５レンズＬ５は、両面が非球面であり、例えば、樹脂材料製レンズである。第３レンズＬ３と第４レンズＬ４とは接合レンズである。第３レンズ群（Ｇｒ３）には、図略の前記光学絞りＳＴが含まれ、第３レンズ群（Ｇｒ３）と共に移動するように第４レンズＬ４と第５レンズＬ５との間に配置されている。
【０２７４】
第４レンズ群（Ｇｒ４）は、物体側に凸の正メニスカスレンズ（第６レンズＬ６）から構成されて成る。第６レンズＬ６は、両面が非球面であり、例えば、樹脂材料製レンズである。
【０２７５】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２７６】
この実施例１１の変倍光学系１Ｋでは、広角端（Ｗ）から中間点（Ｍ）を経て望遠端（Ｔ）への変倍時に、図１７に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、第４レンズ群（Ｇｒ４）は、物体に近づく方向に直線的に移動され、光学絞りＳＴは、第３レンズ群（Ｇｒ３）と共に移動する。このように広角端（Ｗ）から望遠端（Ｔ）への変倍において、第１レンズ群（Ｇｒ１）と第２レンズ群（Ｇｒ２）とは、互いの間隔が狭くなるように、第２レンズ群（Ｇｒ２）と第３レンズ群（Ｇｒ３）とは、互いの間隔が狭くなるように、第３レンズ群（Ｇｒ３）と第４レンズ群（Ｇｒ４）とは、互いの間隔が広くなるように移動する。
【０２７７】
実施例１１の変倍光学系１Ｋにおける、各レンズのコンストラクションデータを以下に示す。
【０２７８】
数値実施例１１
単位  ｍｍ
面データ
面番号          ｒ        ｄ        ｎｄ        νｄ
物面            ∞        ∞
１＊        -17.093      0.600      1.53048      55.72
２＊          4.257      可変
３＊          5.807      1.053      1.63219      23.42
４＊         19.032      可変
５            4.444      1.973      1.64320      56.33
６           -4.117      1.102      1.84412      23.87
７（絞り）  -13.205      2.402
８＊         -3.400      0.600      1.53048      55.72
９＊         -5.576      可変
１０＊        7.699      2.506      1.63219      23.42
１１＊        8.263      可変
１２            ∞       0.500      1.51680      64.20
１３            ∞       0.500
像面            ∞
非球面データ
第１面
Ｋ＝0.0000e+000，Ａ４＝1.2935e-003，Ａ６＝-3.3550e-005，Ａ８＝1.3068e-007，Ａ１０＝1.0676e-009
第２面
Ｋ＝0.0000e+000，Ａ４＝-1.5399e-004，Ａ６＝-1.4162e-004，Ａ８＝9.3343e-006，Ａ１０＝-7.5239e-007
第３面
Ｋ＝0.0000e+000，Ａ４＝1.8119e-004，Ａ６＝-2.2234e-004，Ａ８＝2.6788e-005，Ａ１０＝-1.1071e-006
第４面
Ｋ＝0.0000e+000，Ａ４＝8.3521e-004，Ａ６＝-2.1964e-004，Ａ８＝3.1288e-005，Ａ１０＝-1.4433e-006
第８面
Ｋ＝0.0000e+000，Ａ４＝-7.2113e-003，Ａ６＝3.4253e-003，Ａ８＝-6.7455e-004，Ａ１０＝8.7810e-005
第９面
Ｋ＝0.0000e+000，Ａ４＝-9.9217e-003，Ａ６＝2.9746e-003，Ａ８＝-3.5106e-004，Ａ１０＝5.0516e-005
第１０面
Ｋ＝0.0000e+000，Ａ４＝-1.0605e-002，Ａ６＝4.5917e-004，Ａ８＝-7.9913e-005，Ａ１０＝9.6833e-006
第１１面
Ｋ＝0.0000e+000，Ａ４＝-1.0112e-002，Ａ６＝5.1419e-004，Ａ８＝-3.4663e-005，Ａ１０＝1.8936e-006
各種データ
ズームデータ
ズーム比  2.78
広角      中間      望遠
焦点距離      4.467      8.535     12.419
Ｆナンバ      3.488      5.621      7.130
画角         38.864     22.869     16.165
像高          3.600      3.600      3.600
レンズ全長   19.830     19.830     19.830
ＢＦ          1.330      3.404      5.354
ｄ２          4.348      0.940      0.496
ｄ４          3.415      3.095      0.956
ｄ９          0.500      2.154      2.787
ｄ１１        0.500      2.574      4.524
ズームレンズ群データ
群      始面      終面      焦点距離
１      １        ２        -6.363
２      ３        ４        12.823
３      ５        ９         7.953
４      １０      １１      65.586
以上のようなレンズ配置、構成のもとでの、実施例１１の変倍光学系１Ｋにおける球面収差（正弦条件）、非点収差、歪曲収差および横収差を、図５６、図５７および図５８にそれぞれ示す。図５６は、広角端（Ｗ）における各収差を表し、図５７は、中間点（Ｍ）における各収差を表し、図５８は、望遠端（Ｔ）における各収差を表している。
【実施例１２】
【０２７９】
図１８は、実施例１２における変倍光学系におけるレンズ群の配列を示す断面図である。図１９は、実施例１２の変倍光学系の変倍における各レンズ群の移動の様子を示す図である。図５９は、実施例１２の広角端におけるレンズ群の収差図である。図６０は、実施例１２の中間点におけるレンズ群の収差図である。図６１は、実施例１２の望遠端におけるレンズ群の収差図である。
【０２８０】
実施例１２の変倍光学系１Ｌは、図１８に示すように、各レンズ群（Ｇｒ１、Ｇｒ２、Ｇｒ３）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）とからなる負・正・正の３成分ズーム構成であり、ズーミングの際には、図１９に示すように、第１レンズ群（Ｇｒ１）が固定され、第２レンズ群（Ｇｒ２）と第３レンズ群（Ｇｒ３）とが移動し、光学絞りＳＴは、第３レンズ群（Ｇｒ３）と共に移動する。
【０２８１】
より詳しくは、実施例１２の変倍光学系１Ｌは、各レンズ群（Ｇｒ１、Ｇｒ２、Ｇｒ３）が物体側から像側へ順に、次のように構成されている。
【０２８２】
第１レンズ群（Ｇｒ１）は、物体側に凸の負メニスカスレンズ（第１レンズＬ１）と、物体側に凸の負メニスカスレンズ（第２レンズＬ２）から構成されて成る。第１レンズＬ１は、両面が非球面である。第２レンズＬ２も両面が非球面であり、例えば、樹脂材料製レンズである。
【０２８３】
第２レンズ群（Ｇｒ２）は、物体側に凸の正メニスカスレンズ（第３レンズＬ３）から構成されて成る。第３レンズＬ３は、両面が非球面である。
【０２８４】
第３レンズ群（Ｇｒ３）は、両凸の正レンズ（第４レンズＬ４）と、両凸の正レンズ（第５レンズＬ５）と、両凹の負レンズ（第６レンズＬ６）とから構成されて成る。第４レンズＬ４は、両面が非球面であり、例えば、樹脂材料製レンズである。第５レンズＬ５と第６レンズＬ６とは接合レンズである。
【０２８５】
第３レンズ群（Ｇｒ３）の物体には、光学絞りＳＴが第３レンズ群（Ｇｒ３）と共に移動するように配置される。そして、第３レンズ群（Ｇｒ３）の像側には、フィルタとしての平行平板ＦＴを介して撮像素子ＳＲの受光面が配置されている。平行平板ＦＴは、各種光学フィルタや撮像素子のカバーガラス等である。
【０２８６】
この実施例１２の変倍光学系１Ｌでは、広角端（Ｗ）から中間点（Ｍ）を経て望遠端（Ｔ）への変倍時に、図１９に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動する。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２８７】
実施例１２の変倍光学系１Ｌにおける、各レンズのコンストラクションデータを以下に示す。
【０２８８】
数値実施例１２
単位  ｍｍ
面データ
面番号          ｒ        ｄ        ｎｄ        νｄ
物面            ∞        ∞
１＊         11.061      0.800      2.00330      28.30
２＊          4.590      1.002
３＊          5.042      0.942      1.53048      55.72
４＊          3.667      可変
５＊          4.290      1.412      1.83093      25.19
６＊          6.328      可変
７（絞り）      ∞       0.000
８＊          3.589      0.935      1.53048      55.72
９＊         -6.371      0.100
１０          4.414      0.800      1.69739      52.28
１１        -11.472      0.796      1.93913      31.84
１２          2.668      可変
１３            ∞       0.500      1.51680      64.20
１４            ∞       0.500
像面            ∞
非球面データ
第１面
Ｋ＝0.0000e+000，Ａ４＝6.7096e-004，Ａ６＝-1.8221e-006，Ａ８＝2.5571e-006，Ａ１０＝-1.0110e-007
第２面
Ｋ＝0.0000e+000，Ａ４＝2.9996e-003，Ａ６＝-6.2926e-006，Ａ８＝1.2468e-005，Ａ１０＝9.6167e-007
第３面
Ｋ＝0.0000e+000，Ａ４＝6.4592e-004，Ａ６＝-2.5705e-004，Ａ８＝1.8010e-005，Ａ１０＝-1.8278e-006
第４面
Ｋ＝0.0000e+000，Ａ４＝-5.2121e-003，Ａ６＝-2.1504e-004，Ａ８＝-7.2861e-006，Ａ１０＝-1.6885e-006
第５面
Ｋ＝0.0000e+000，Ａ４＝7.6853e-005，Ａ６＝-1.7847e-004，Ａ８＝3.9742e-005，Ａ１０＝-7.6750e-007
第６面
Ｋ＝0.0000e+000，Ａ４＝1.7486e-003，Ａ６＝-3.5155e-004，Ａ８＝1.4226e-004，Ａ１０＝-4.8161e-006
第８面
Ｋ＝0.0000e+000，Ａ４＝-2.5760e-003，Ａ６＝-1.0137e-003，Ａ８＝5.8644e-004，Ａ１０＝-1.2501e-004
第９面
Ｋ＝0.0000e+000，Ａ４＝2.0979e-003，Ａ６＝-6.1812e-004，Ａ８＝4.5945e-004，Ａ１０＝-1.0471e-004
各種データ
ズームデータ
ズーム比  2.92
広角      中間      望遠
焦点距離      4.694      8.865     13.693
Ｆナンバ      3.486      5.452      7.113
画角         37.488     22.102     14.731
像高          3.600      3.600      3.600
レンズ全長   19.820     19.820     19.820
ＢＦ          4.985      8.434     11.296
ｄ４          4.222      1.147      0.834
ｄ６          3.825      3.452      0.903
ｄ１２        4.156      7.605     10.466
ズームレンズ群データ
群      始面      終面      焦点距離
１      １        ４        -6.127
２      ５        ６        12.197
３      ７        １２       6.803
以上のようなレンズ配置、構成のもとでの、実施例１２の変倍光学系１Ｌにおける球面収差（正弦条件）、非点収差、歪曲収差および横収差を、図５９、図６０および図６１にそれぞれ示す。図５９は、広角端（Ｗ）における各収差を表し、図６０は、中間点（Ｍ）における各収差を表し、図６１は、望遠端（Ｔ）における各収差を表している。
【実施例１３】
【０２８９】
図２０は、実施例１３における変倍光学系におけるレンズ群の配列を示す断面図である。図６２は、実施例１３の広角端におけるレンズ群の収差図である。図６３は、実施例１３の中間点におけるレンズ群の収差図である。図６４は、実施例１３の望遠端におけるレンズ群の収差図である。
【０２９０】
実施例１３の変倍光学系１Ｍは、図２０に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０２９１】
より詳しくは、実施例１３の変倍光学系１Ｍは、各レンズ群（Ｇｒ１、Ｇｒ２、Ｇｒ３、Ｇｒ４）が物体側から像側へ順に、次のように構成されている。
【０２９２】
第１レンズ群（Ｇｒ１）は、物体側に凸の負メニスカスレンズ（第１レンズＬ１）と、物体側に凸の負メニスカスレンズ（第２レンズＬ２）とから構成されて成る。第１レンズＬ１は、両面が非球面であり、例えば、樹脂材料製レンズである。
【０２９３】
第２レンズ群（Ｇｒ２）は、物体側に凸の正メニスカスレンズ（第３レンズＬ３）から構成されて成る。第３レンズＬ３は、両面が非球面である。
【０２９４】
第３レンズ群（Ｇｒ３）は、両凸の正レンズ（第４レンズＬ４）と、物体側に凸の負メニスカスレンズ（第５レンズＬ５）と、物体側に凸の正メニスカスレンズ（第６レンズＬ６）とから構成されて成る。第４レンズＬ４は、両面が非球面であり、例えば、樹脂材料製レンズである。第５レンズＬ５と第６レンズＬ６とは接合レンズである。
【０２９５】
第４レンズ群（Ｇｒ４）は、像側に凸の正メニスカスレンズ（第７レンズＬ７）から構成されて成る。第７レンズＬ７は、両面が非球面であり、例えば、樹脂材料製レンズである。
【０２９６】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２９７】
この実施例１３の変倍光学系１Ｍでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０２９８】
実施例１３の変倍光学系１Ｍにおける、各レンズのコンストラクションデータを以下に示す。
【０２９９】
数値実施例１３
単位  ｍｍ
面データ
面番号          ｒ        ｄ        ｎｄ        νｄ
物面            ∞        ∞
１＊       1098.977      0.800      1.53048      55.72
２＊         27.736      0.270
３＊        217.964      0.800      1.84596      40.38
４＊          5.878      可変
５＊          4.201      1.356      1.70453      26.83
６＊          7.192      可変
７（絞り）      ∞       0.000
８＊          3.808      0.896      1.53048      55.72
９＊         -9.048      0.100
１０          5.398      0.800      1.90413      26.03
１１          1.737      1.243      1.88490      36.17
１２          2.531      可変
１３＊      -17.410      1.349      1.62206      23.93
１４＊       -6.043      0.500
１５            ∞       0.500      1.51680      64.20
１６            ∞       0.500
像面            ∞
非球面データ
第１面
Ｋ＝0.0000e+000，Ａ４＝7.8416e-004，Ａ６＝1.0889e-005，Ａ８＝-1.3183e-006，Ａ１０＝-1.0977e-008
第２面
Ｋ＝0.0000e+000，Ａ４＝2.3839e-004，Ａ６＝1.2737e-005，Ａ８＝-1.2643e-006，Ａ１０＝1.3614e-007
第３面
Ｋ＝0.0000e+000，Ａ４＝-2.1206e-004，Ａ６＝4.1870e-006，Ａ８＝1.8896e-006，Ａ１０＝2.5958e-008
第４面
Ｋ＝0.0000e+000，Ａ４＝1.5869e-004，Ａ６＝1.0712e-004，Ａ８＝-1.2427e-005，Ａ１０＝4.6824e-007
第５面
Ｋ＝0.0000e+000，Ａ４＝-7.6311e-005，Ａ６＝1.3754e-004，Ａ８＝-5.6011e-005，Ａ１０＝5.6202e-006
第６面
Ｋ＝0.0000e+000，Ａ４＝1.8305e-003，Ａ６＝-6.7805e-005，Ａ８＝-2.2830e-005，Ａ１０＝8.3847e-006
第８面
Ｋ＝0.0000e+000，Ａ４＝-2.1671e-003，Ａ６＝-6.0932e-004，Ａ８＝3.2304e-004，Ａ１０＝-8.6581e-005
第９面
Ｋ＝0.0000e+000，Ａ４＝1.5556e-003，Ａ６＝-6.3131e-004，Ａ８＝4.3149e-004，Ａ１０＝-1.1547e-004
第１３面
Ｋ＝0.0000e+000，Ａ４＝-4.5932e-003，Ａ６＝-1.8094e-004，Ａ８＝7.8625e-005，Ａ１０＝-5.1683e-006
第１４面
Ｋ＝0.0000e+000，Ａ４＝-4.9825e-003，Ａ６＝2.6431e-004，Ａ８＝2.7294e-005，Ａ１０＝-2.4796e-006
各種データ
ズームデータ
ズーム比  2.89
広角      中間      望遠
焦点距離      4.737      8.867     13.691
Ｆナンバ      3.509      5.458      7.094
画角         37.235     22.097     14.732
像高          3.600      3.600      3.600
レンズ全長   19.820     19.820     19.820
ＢＦ          1.330      1.330      1.330
ｄ４          3.785      1.072      0.867
ｄ６          4.376      3.649      0.999
ｄ１２        2.715      6.156      9.011
ズームレンズ群データ
群      始面      終面      焦点距離
１      １        ４        -6.240
２      ５        ６        12.074
３      ７        １２       6.718
４      １３      １４      14.231
以上のようなレンズ配置、構成のもとでの、実施例１３の変倍光学系１Ｍにおける球面収差（正弦条件）、非点収差、歪曲収差および横収差を、図６２、図６３および図６４にそれぞれ示す。図６２は、広角端（Ｗ）における各収差を表し、図６３は、中間点（Ｍ）における各収差を表し、図６４は、望遠端（Ｔ）における各収差を表している。
【実施例１４】
【０３００】
図２１は、実施例１４における変倍光学系におけるレンズ群の配列を示す断面図である。図６５は、実施例１４の広角端におけるレンズ群の収差図である。図６６は、実施例１４の中間点におけるレンズ群の収差図である。図６７は、実施例１４の望遠端におけるレンズ群の収差図である。
【０３０１】
実施例１４の変倍光学系１Ｎは、図２１に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０３０２】
より詳しくは、実施例１４の変倍光学系１Ｎは、各レンズ群（Ｇｒ１、Ｇｒ２、Ｇｒ３、Ｇｒ４）が物体側から像側へ順に、次のように構成されている。
【０３０３】
第１レンズ群（Ｇｒ１）は、物体側に凸の負メニスカスレンズ（第１レンズＬ１）と、物体側に凸の負メニスカスレンズ（第２レンズＬ２）とから構成されて成る。第１レンズＬ１は、両面が非球面である。第２レンズＬ２も両面が非球面であり、例えば、樹脂材料製レンズである。
【０３０４】
第２レンズ群（Ｇｒ２）は、物体側に凸の正メニスカスレンズ（第３レンズＬ３）から構成されて成る。第３レンズＬ３は、両面が非球面である。
【０３０５】
第３レンズ群（Ｇｒ３）は、両凸の正レンズ（第４レンズＬ４）と、両凸の正レンズ（第５レンズＬ５）と、両凹の負レンズ（第６レンズＬ６）とから構成されて成る。第４レンズＬ４は、両面が非球面であり、例えば、樹脂材料製レンズである。第５レンズＬ５と第６レンズＬ６とは接合レンズである。
【０３０６】
第４レンズ群（Ｇｒ４）は、像側に凸の正メニスカスレンズ（第７レンズＬ７）から構成されて成る。第７レンズＬ７は、両面が非球面であり、例えば、樹脂材料製レンズである。
【０３０７】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０３０８】
この実施例１４の変倍光学系１Ｎでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０３０９】
実施例１４の変倍光学系１Ｎにおける、各レンズのコンストラクションデータを以下に示す。
【０３１０】
数値実施例１４
単位  ｍｍ
面データ
面番号          ｒ        ｄ        ｎｄ        νｄ
物面            ∞        ∞
１＊         20.424      0.800      1.91295      33.73
２＊          5.436      0.595
３＊          4.785      1.041      1.53048      55.72
４＊          3.614      可変
５＊          4.482      1.309      1.83107      23.51
６＊          6.547      可変
７（絞り）      ∞       0.000
８＊          3.595      0.866      1.53048      55.72
９＊         -6.950      0.100
１０          3.741      0.811      1.69067      54.01
１１        -12.964      0.926      1.94570      31.41
１２          2.372      可変
１３＊      -10.681      1.163      1.62206      23.93
１４＊       -5.046      0.500
１５            ∞       0.500      1.51680      64.20
１６            ∞       0.500
像面            ∞
非球面データ
第１面
Ｋ＝0.0000e+000，Ａ４＝6.3889e-004，Ａ６＝7.0022e-007，Ａ８＝2.6207e-006，Ａ１０＝-1.1486e-007
第２面
Ｋ＝0.0000e+000，Ａ４＝3.0631e-003，Ａ６＝1.6265e-005，Ａ８＝1.3056e-005，Ａ１０＝8.8978e-007
第３面
Ｋ＝0.0000e+000，Ａ４＝4.4346e-004，Ａ６＝-2.1576e-004，Ａ８＝1.7617e-005，Ａ１０＝-1.8181e-006
第４面
Ｋ＝0.0000e+000，Ａ４＝-5.0254e-003，Ａ６＝-2.4820e-004，Ａ８＝-8.2631e-006，Ａ１０＝-1.8423e-006
第５面
Ｋ＝0.0000e+000，Ａ４＝2.5911e-004，Ａ６＝-1.7279e-004，Ａ８＝3.4367e-005，Ａ１０＝-9.7083e-007
第６面
Ｋ＝0.0000e+000，Ａ４＝1.6031e-003，Ａ６＝-4.1557e-004，Ａ８＝1.4022e-004，Ａ１０＝-7.6545e-006
第８面
Ｋ＝0.0000e+000，Ａ４＝-2.0429e-003，Ａ６＝-7.7456e-004，Ａ８＝4.9846e-004，Ａ１０＝-1.4046e-004
第９面
Ｋ＝0.0000e+000，Ａ４＝2.0104e-003，Ａ６＝-5.9621e-004，Ａ８＝4.8558e-004，Ａ１０＝-1.4101e-004
第１３面
Ｋ＝0.0000e+000，Ａ４＝3.5830e-004，Ａ６＝-5.8444e-004，Ａ８＝9.7617e-005，Ａ１０＝-5.0657e-006
第１４面
Ｋ＝0.0000e+000，Ａ４＝4.5977e-003，Ａ６＝-8.8522e-004，Ａ８＝1.0354e-004，Ａ１０＝-4.2523e-006
各種データ
ズームデータ
ズーム比  2.89
広角      中間      望遠
焦点距離      4.726      8.857     13.648
Ｆナンバ      3.510      5.468      7.092
画角         37.298     22.120     14.776
像高          3.600      3.600      3.600
レンズ全長   19.820     19.820     19.820
ＢＦ          1.330      1.330      1.330
ｄ４          3.741      0.936      0.841
ｄ６          4.161      3.592      0.913
ｄ１２        2.976      6.350      9.124
ズームレンズ群データ
群      始面      終面      焦点距離
１      １        ４        -6.319
２      ５        ６        13.278
３      ７        １２       6.443
４      １３      １４      14.246
以上のようなレンズ配置、構成のもとでの、実施例１４の変倍光学系１Ｎにおける球面収差（正弦条件）、非点収差、歪曲収差および横収差を、図６５、図６６および図６７にそれぞれ示す。図６５は、広角端（Ｗ）における各収差を表し、図６６は、中間点（Ｍ）における各収差を表し、図６７は、望遠端（Ｔ）における各収差を表している。
【実施例１５】
【０３１１】
図２２は、実施例１５における変倍光学系におけるレンズ群の配列を示す断面図である。図６８は、実施例１５の広角端におけるレンズ群の収差図である。図６９は、実施例１５の中間点におけるレンズ群の収差図である。図７０は、実施例１５の望遠端におけるレンズ群の収差図である。
【０３１２】
実施例１５の変倍光学系１Ｏは、図２２に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図５に示すように、第１レンズ群（Ｇｒ１）と第４レンズ群（Ｇｒ４）とが固定され、第２レンズ群（Ｇｒ２）と第３レンズ群（Ｇｒ３）とが移動し、光学絞りＳＴは、第３レンズ群（Ｇｒ３）と共に移動する。
【０３１３】
より詳しくは、実施例１５の変倍光学系１Ｏは、各レンズ群（Ｇｒ１、Ｇｒ２、Ｇｒ３、Ｇｒ４）が物体側から像側へ順に、次のように構成されている。
【０３１４】
第１レンズ群（Ｇｒ１）は、両凹の負レンズ（第１レンズＬ１）から構成されて成る。第１レンズＬ１は、両面が非球面であり、例えば、樹脂材料製レンズである。
【０３１５】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０３１６】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面であり、例えば、樹脂材料製レンズである。第４レンズＬ４と第５レンズＬ５とは接合レンズである。
【０３１７】
第４レンズ群（Ｇｒ４）は、両凸の正レンズ（第６レンズＬ６）から構成されて成る。第６レンズＬ６は、両面が非球面であり、例えば、樹脂材料製レンズである。
【０３１８】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０３１９】
この実施例１５の変倍光学系１Ｏでは、広角端（Ｗ）から中間点（Ｍ）を経て望遠端（Ｔ）への変倍時に、図５に示すように、第１レンズ群（Ｇｒ１）は、固定され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０３２０】
実施例１５の変倍光学系１Ｏにおける、各レンズのコンストラクションデータを以下に示す。
【０３２１】
数値実施例１５
単位  ｍｍ
面データ
面番号          ｒ        ｄ        ｎｄ        νｄ
物面            ∞        ∞
１＊        -20.948      0.800      1.56200      45.00
２＊          4.144      可変
３＊          5.896      1.324      1.64000      23.00
４＊         17.555      可変
５（絞り）      ∞       0.000
６＊          3.363      0.827      1.53048      55.72
７＊        -10.717      0.100
８            4.900      0.800      1.95563      26.98
９            1.867      1.103      1.79884      45.15
１０          2.531      可変
１１＊       21.970      1.312      1.64000      23.00
１２＊      -15.714      0.500
１３            ∞       0.500      1.51680      64.20
１４            ∞       0.500
像面            ∞
非球面データ
第１面
Ｋ＝0.0000e+000，Ａ４＝8.6052e-004，Ａ６＝-2.1187e-006，Ａ８＝-4.0405e-007，Ａ１０＝-6.5316e-009
第２面
Ｋ＝0.0000e+000，Ａ４＝-5.6278e-004，Ａ６＝1.4980e-004，Ａ８＝-1.4291e-005，Ａ１０＝-4.7956e-008
第３面
Ｋ＝0.0000e+000，Ａ４＝-1.1366e-003，Ａ６＝1.8300e-005，Ａ８＝-5.5052e-005，Ａ１０＝3.8029e-006
第４面
Ｋ＝0.0000e+000，Ａ４＝-4.1736e-004，Ａ６＝-3.3528e-004，Ａ８＝1.5104e-006，Ａ１０＝1.5527e-006
第６面
Ｋ＝0.0000e+000，Ａ４＝-2.7784e-003，Ａ６＝-2.6438e-004，Ａ８＝5.4241e-005，Ａ１０＝-2.3461e-005
第７面
Ｋ＝0.0000e+000，Ａ４＝1.3789e-003，Ａ６＝-3.5804e-004，Ａ８＝2.4528e-004，Ａ１０＝-7.2373e-005
第１１面
Ｋ＝0.0000e+000，Ａ４＝8.2570e-004，Ａ６＝-4.5793e-004，Ａ８＝4.8641e-005，Ａ１０＝-1.5099e-006
第１２面
Ｋ＝0.0000e+000，Ａ４＝2.1754e-003，Ａ６＝-7.8648e-004，Ａ８＝7.8777e-005，Ａ１０＝-2.3928e-006
各種データ
ズームデータ
ズーム比  2.88
広角      中間      望遠
焦点距離      4.750      8.872     13.685
Ｆナンバ      3.553      5.512      7.098
画角         37.160     22.086     14.738
像高          3.600      3.600      3.600
レンズ全長   19.820     19.820     19.820
ＢＦ          1.330      1.330      1.330
ｄ２          3.222      0.830      0.879
ｄ４          5.536      4.119      0.989
ｄ１０        3.466      7.274     10.355
ズームレンズ群データ
群      始面      終面      焦点距離
１      １        ２        -6.086
２      ３        ４        13.283
３      ５        １０       7.007
４      １１      １２      14.512
以上のようなレンズ配置、構成のもとでの、実施例１５の変倍光学系１Ｏにおける球面収差（正弦条件）、非点収差、歪曲収差および横収差を、図６８、図６９および図７０にそれぞれ示す。図６８は、広角端（Ｗ）における各収差を表し、図６９は、中間点（Ｍ）における各収差を表し、図７０は、望遠端（Ｔ）における各収差を表している。
【実施例１６】
【０３２２】
図２３は、実施例１６における変倍光学系におけるレンズ群の配列を示す断面図である。図７１は、実施例１６の広角端におけるレンズ群の収差図である。図７２は、実施例１６の中間点におけるレンズ群の収差図である。図７３は、実施例１６の望遠端におけるレンズ群の収差図である。
【０３２３】
実施例１６の変倍光学系１Ｐは、図２３に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図１５に示すように、第１レンズ群（Ｇｒ１）と第２レンズ群（Ｇｒ２）と第３レンズ群（Ｇｒ３）とが移動し、第４レンズ群（Ｇｒ４）が固定され、光学絞りＳＴは、第３レンズ群（Ｇｒ３）と共に移動する。
【０３２４】
より詳しくは、実施例１６の変倍光学系１Ｐは、各レンズ群（Ｇｒ１、Ｇｒ２、Ｇｒ３、Ｇｒ４）が物体側から像側へ順に、次のように構成されている。
【０３２５】
第１レンズ群（Ｇｒ１）は、両凹の負レンズ（第１レンズＬ１）から構成されて成る。第１レンズＬ１は、両面が非球面であり、例えば、樹脂材料製レンズである。
【０３２６】
第２レンズ群（Ｇｒ２）は、物体側に凸の正メニスカスレンズ（第２レンズＬ２）から構成されて成る。第２レンズＬ２は、両面が非球面であり、例えば、樹脂材料製レンズである。
【０３２７】
第３レンズ群（Ｇｒ３）は、両凸の正レンズ（第３レンズＬ３）と、物体側に凸の負メニスカスレンズ（第４レンズＬ４）と、物体側に凸の正メニスカスレンズ（第５レンズＬ５）とから構成されて成る。第３レンズＬ３は、両面が非球面であり、例えば、樹脂材料製レンズである。第４レンズＬ４と第５レンズＬ５とは接合レンズである。
【０３２８】
第４レンズ群（Ｇｒ４）は、両凸の正レンズ（第６レンズＬ６）から構成されて成る。第６レンズＬ６は、両面が非球面であり、例えば、樹脂材料製レンズである。
【０３２９】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０３３０】
この実施例１６の変倍光学系１Ｐでは、広角端（Ｗ）から中間点（Ｍ）を経て望遠端（Ｔ）への変倍時に、図２３に示すように、第１レンズ群（Ｇｒ１）は、像面に対して接離するように曲線的（中間点をピークに像側に凸となる曲線）に移動され、第２レンズ群（Ｇｒ２）は、物体に近づく方向に曲線的（物体側に凸となる曲線）に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０３３１】
実施例１６の変倍光学系１Ｐにおける、各レンズのコンストラクションデータを以下に示す。
【０３３２】
数値実施例１６
単位  ｍｍ
面データ
面番号          ｒ        ｄ        ｎｄ        νｄ
物面            ∞        ∞
１＊        -28.507      0.800      1.62206      23.93
２＊          4.609      可変
３＊          8.864      1.145      1.75000      12.00
４＊         35.372      可変
５（絞り）      ∞       0.000
６＊          3.465      1.090      1.53048      55.72
７＊         -9.209      0.100
８            5.217      0.800      1.96063      27.12
９            1.817      1.270      1.80336      44.61
１０          2.692      可変
１１＊      118.794      1.133      1.64000      23.00
１２＊      -10.874      0.500
１３            ∞       0.500      1.51680      64.20
１４            ∞       0.500
像面            ∞
非球面データ
第１面
Ｋ＝0.0000e+000，Ａ４＝8.6930e-004，Ａ６＝1.4840e-006，Ａ８＝-1.2848e-007，Ａ１０＝-3.3831e-008
第２面
Ｋ＝0.0000e+000，Ａ４＝3.4737e-004，Ａ６＝1.3364e-004，Ａ８＝-5.8966e-006，Ａ１０＝-3.3740e-007
第３面
Ｋ＝0.0000e+000，Ａ４＝-1.8480e-003，Ａ６＝-1.1226e-004，Ａ８＝-5.4174e-005，Ａ１０＝4.5449e-006
第４面
Ｋ＝0.0000e+000，Ａ４＝-1.7889e-003，Ａ６＝-4.1307e-004，Ａ８＝1.3300e-005，Ａ１０＝9.8996e-007
第６面
Ｋ＝0.0000e+000，Ａ４＝-2.8574e-003，Ａ６＝-5.7860e-005，Ａ８＝-4.6358e-005，Ａ１０＝-3.1573e-007
第７面
Ｋ＝0.0000e+000，Ａ４＝1.4806e-003，Ａ６＝-1.8259e-004，Ａ８＝1.3967e-004，Ａ１０＝-5.0059e-005
第１１面
Ｋ＝0.0000e+000，Ａ４＝1.1353e-003，Ａ６＝-3.9076e-004，Ａ８＝4.8483e-005，Ａ１０＝-1.7654e-006
第１２面
Ｋ＝0.0000e+000，Ａ４＝3.7784e-003，Ａ６＝-7.5097e-004，Ａ８＝7.5601e-005，Ａ１０＝-2.5420e-006
各種データ
ズームデータ
ズーム比  2.88
広角      中間      望遠
焦点距離      4.753      8.870     13.704
Ｆナンバ      3.655      5.431      7.102
画角         37.142     22.091     14.719
像高          3.600      3.600      3.600
レンズ全長   19.820     18.758     19.212
ＢＦ          1.330      1.330      1.330
ｄ２          3.125      1.014      0.907
ｄ４          5.608      3.361      0.820
ｄ１０        3.418      6.715      9.816
ズームレンズ群データ
群      始面      終面      焦点距離
１      １        ２        -6.320
２      ３        ４        15.484
３      ５        １０       6.650
４      １１      １２      15.619
以上のようなレンズ配置、構成のもとでの、実施例１６の変倍光学系１Ｐにおける球面収差（正弦条件）、非点収差、歪曲収差および横収差を、図７１、図７２および図７３にそれぞれ示す。図７１は、広角端（Ｗ）における各収差を表し、図７２は、中間点（Ｍ）における各収差を表し、図７３は、望遠端（Ｔ）における各収差を表している。
【実施例１７】
【０３３３】
図２４は、実施例１７における変倍光学系におけるレンズ群の配列を示す断面図である。図２５は、実施例１７の変倍光学系の変倍における各レンズ群の移動の様子を示す図である。図７４は、実施例１７の広角端におけるレンズ群の収差図である。図７５は、実施例１７の中間点におけるレンズ群の収差図である。図７６は、実施例１７の望遠端におけるレンズ群の収差図である。
【０３３４】
実施例１７の変倍光学系１Ｑは、図２４に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として正の光学的パワーを有する第２レンズ群（Ｇｒ２）と、光学絞りＳＴと、全体として正の光学的パワーを有する第３レンズ群（Ｇｒ３）と、全体として正の光学的パワーを有する第４レンズ群（Ｇｒ４）からなる負・正・正・正の４成分ズーム構成であり、ズーミングの際には、図２５に示すように、第１レンズ群（Ｇｒ１）と第２レンズ群（Ｇｒ２）と第３レンズ群（Ｇｒ３）とが移動し、第４レンズ群（Ｇｒ４）が固定され、光学絞りＳＴは、第３レンズ群（Ｇｒ３）と共に移動する。
【０３３５】
より詳しくは、実施例１７の変倍光学系１Ｑは、各レンズ群（Ｇｒ１、Ｇｒ２、Ｇｒ３、Ｇｒ４）が物体側から像側へ順に、次のように構成されている。
【０３３６】
第１レンズ群（Ｇｒ１）は、物体側に凸の負メニスカスレンズ（第１レンズＬ１）と、物体側に凸の負メニスカスレンズ（第２レンズＬ２）とから構成されて成る。第１レンズＬ１および第２レンズＬ２は、両面が非球面であり、例えば、樹脂材料製レンズである。
【０３３７】
第２レンズ群（Ｇｒ２）は、物体側に凸の正メニスカスレンズ（第３レンズＬ３）から構成されて成る。第３レンズＬ３は、両面が非球面である。
【０３３８】
第３レンズ群（Ｇｒ３）は、両凸の正レンズ（第４レンズＬ４）と、両凸の正レンズ（第５レンズＬ５）と、両凹の負レンズ（第６レンズＬ６）とから構成されて成る。第４レンズＬ４は、両面が非球面であり、例えば、樹脂材料製レンズである。第５レンズＬ５は、片面、すなわち物体側の面が非球面であり、片面非球面レンズである。第６レンズＬ６は、片面、すなわち像側の面が非球面であり、片面非球面レンズである。第５レンズＬ５と第６レンズＬ６とは接合レンズである。
【０３３９】
第４レンズ群（Ｇｒ４）は、像側に凸の正メニスカスレンズ（第７レンズＬ７）から構成されて成る。第７レンズＬ７は、両面が非球面であり、例えば、樹脂材料製レンズである。
【０３４０】
第３レンズ群（Ｇｒ３）の物体には、光学絞りＳＴが第３レンズ群（Ｇｒ３）と共に移動するように配置される。そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０３４１】
この実施例１７の変倍光学系１Ｑでは、広角端（Ｗ）から中間点（Ｍ）を経て望遠端（Ｔ）への変倍時に、図２５に示すように、第１レンズ群（Ｇｒ１）は、像面に対して接離するように曲線的（中間点をピークに像側に凸となる曲線）に移動され、第２レンズ群（Ｇｒ２）は、物体に近づく方向に直線的に移動され、第３レンズ群（Ｇｒ３）は、物体に近づく方向に直線的に移動され、光学絞りＳＴは、第３レンズ群（Ｇｒ３）と共に移動し、第４レンズ群（Ｇｒ４）は、固定される。このように広角端（Ｗ）から望遠端（Ｔ）への変倍において、第１レンズ群（Ｇｒ１）と第２レンズ群（Ｇｒ２）および第３レンズ群（Ｇｒ３）のぞれぞれとは、互いの間隔が狭くなるように移動する。
【０３４２】
実施例１７の変倍光学系１Ｑにおける、各レンズのコンストラクションデータを以下に示す。
【０３４３】
数値実施例１７
単位  ｍｍ
面データ
面番号          ｒ        ｄ        ｎｄ        νｄ
物面            ∞        ∞
１＊         15.797      0.800      1.62206      23.93
２＊          6.753      1.733
３＊         10.825      0.834      1.53048      55.72
４＊          4.136      可変
５＊          3.625      1.087      1.98063      27.67
６＊          4.718      可変
７（絞り）      ∞       0.000
８＊          4.011      0.808      1.53048      55.72
９＊         -5.026      0.233
１０＊        5.353      0.821      1.75505      51.47
１１         -3.612      0.579      1.87275      32.87
１２＊        2.431      可変
１３＊      -20.788      1.179      1.62206      23.93
１４＊       -6.409      0.500
１５            ∞       0.500      1.51680      64.20
１６            ∞       0.500
像面            ∞
非球面データ
第１面
Ｋ＝0.0000e+000，Ａ４＝1.6922e-003，Ａ６＝2.0174e-005，Ａ８＝1.6219e-006，Ａ１０＝-1.1883e-007
第２面
Ｋ＝0.0000e+000，Ａ４＝3.4257e-003，Ａ６＝2.1186e-004，Ａ８＝-8.6722e-006，Ａ１０＝3.0640e-006
第３面
Ｋ＝0.0000e+000，Ａ４＝-3.2194e-003，Ａ６＝-8.4961e-006，Ａ８＝1.3941e-005，Ａ１０＝-1.5521e-006
第４面
Ｋ＝0.0000e+000，Ａ４＝-7.2905e-003，Ａ６＝-3.7465e-004，Ａ８＝1.6014e-005，Ａ１０＝-7.4805e-007
第５面
Ｋ＝0.0000e+000，Ａ４＝-1.1051e-003，Ａ６＝-3.6892e-004，Ａ８＝8.1376e-006，Ａ１０＝-6.8563e-006
第６面
Ｋ＝0.0000e+000，Ａ４＝2.9998e-004，Ａ６＝-4.5458e-004，Ａ８＝-1.7020e-005，Ａ１０＝-8.8147e-006
第８面
Ｋ＝0.0000e+000，Ａ４＝1.9772e-003，Ａ６＝2.3611e-003，Ａ８＝-2.4920e-003，Ａ１０＝4.3640e-004
第９面
Ｋ＝0.0000e+000，Ａ４＝3.2406e-002，Ａ６＝-1.7456e-002，Ａ８＝4.0450e-003，Ａ１０＝-4.6844e-004
第１０面
Ｋ＝0.0000e+000，Ａ４＝1.6768e-002，Ａ６＝-1.5568e-002，Ａ８＝3.9516e-003，Ａ１０＝-4.5330e-004
第１２面
Ｋ＝0.0000e+000，Ａ４＝-5.9519e-003，Ａ６＝-3.2817e-003，Ａ８＝-4.7139e-004，Ａ１０＝1.7196e-004
第１３面
Ｋ＝0.0000e+000，Ａ４＝2.6332e-003，Ａ６＝-7.5689e-004，Ａ８＝8.2756e-005，Ａ１０＝-2.1848e-006
第１４面
Ｋ＝0.0000e+000，Ａ４＝5.6789e-003，Ａ６＝-1.1665e-003，Ａ８＝9.8895e-005，Ａ１０＝-1.9143e-006
各種データ
ズームデータ
ズーム比  2.88
広角      中間      望遠
焦点距離      4.790      8.876     13.684
Ｆナンバ      3.486      5.205      7.095
画角         36.929     22.076     14.740
像高          3.600      3.600      3.600
レンズ全長   19.829     18.495     19.668
ＢＦ          1.330      1.330      1.330
ｄ４          5.193      1.968      0.796
ｄ６          2.608      1.603      0.800
ｄ１２        2.624      5.520      8.668
ズームレンズ群データ
群      始面      終面      焦点距離
１      １        ４        -7.377
２      ５        ６        10.689
３      ７        １２       8.894
４      １３      １４      14.440
以上のようなレンズ配置、構成のもとでの、実施例１７の変倍光学系１Ｑにおける球面収差（正弦条件）、非点収差、歪曲収差および横収差を、図７４、図７５および図７６にそれぞれ示す。図７４は、広角端（Ｗ）における各収差を表し、図７５は、中間点（Ｍ）における各収差を表し、図７６は、望遠端（Ｔ）における各収差を表している。
【０３４４】
上記に列挙した実施例１〜１７の変倍光学系１Ａ〜１Ｑに、上述した条件式（１）〜（１９）を当てはめた場合のそれぞれの数値を、表１および表２に示す。
【０３４５】
【表１】
2009047722.tif 000003
【０３４６】
【表２】
2009047722.tif 000004
【０３４７】
以上、説明したように、上記実施例１〜１７における変倍光学系１Ａ〜１Ｑは、本発明に係る要件を満足している結果、変倍比が約２〜３倍程度の変倍域全域に亘って諸収差が良好に補正され、そして、デジタル機器に搭載する上で、特に携帯端末に搭載する上で小型化が充分に達成され、また、低廉化が可能である。
【０３４８】
本発明を表現するために、上述において図面を参照しながら実施形態を通して本発明を適切且つ十分に説明したが、当業者であれば上述の実施形態を変更及び/又は改良することは容易に為し得ることであると認識すべきである。従って、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【図面の簡単な説明】
【０３４９】
【図１】実施形態における変倍光学系の説明のための、その構成を模式的に示したレンズ断面図である。
【図２】実施形態におけるデジタル機器の構成を示すブロック図である。
【図３】デジタル機器の一実施形態を示すカメラ付携帯電話機の外観構成図である。
【図４】実施例１における変倍光学系におけるレンズ群の配列を示す断面図である。
【図５】実施例１の変倍光学系の変倍における各レンズ群の移動の様子を示す図である。
【図６】実施例２における変倍光学系におけるレンズ群の配列を示す断面図である。
【図７】実施例３における変倍光学系におけるレンズ群の配列を示す断面図である。
【図８】実施例４における変倍光学系におけるレンズ群の配列を示す断面図である。
【図９】実施例５における変倍光学系におけるレンズ群の配列を示す断面図である。
【図１０】実施例６における変倍光学系におけるレンズ群の配列を示す断面図である。
【図１１】実施例７における変倍光学系におけるレンズ群の配列を示す断面図である。
【図１２】実施例８における変倍光学系におけるレンズ群の配列を示す断面図である。
【図１３】実施例９における変倍光学系におけるレンズ群の配列を示す断面図である。
【図１４】実施例１０における変倍光学系におけるレンズ群の配列を示す断面図である。
【図１５】実施例１０の変倍光学系の変倍における各レンズ群の移動の様子を示す図である。
【図１６】実施例１１における変倍光学系におけるレンズ群の配列を示す断面図である。
【図１７】実施例１１の変倍光学系の変倍における各レンズ群の移動の様子を示す図である。
【図１８】実施例１２における変倍光学系におけるレンズ群の配列を示す断面図である。
【図１９】実施例１２の変倍光学系の変倍における各レンズ群の移動の様子を示す図である。
【図２０】実施例１３における変倍光学系におけるレンズ群の配列を示す断面図である。
【図２１】実施例１４における変倍光学系におけるレンズ群の配列を示す断面図である。
【図２２】実施例１５における変倍光学系におけるレンズ群の配列を示す断面図である。
【図２３】実施例１６における変倍光学系におけるレンズ群の配列を示す断面図である。
【図２４】実施例１７における変倍光学系におけるレンズ群の配列を示す断面図である。
【図２５】実施例１７の変倍光学系の変倍における各レンズ群の移動の様子を示す図である。
【図２６】実施例１の広角端におけるレンズ群の収差図である。
【図２７】実施例１の中間点におけるレンズ群の収差図である。
【図２８】実施例１の望遠端におけるレンズ群の収差図である。
【図２９】実施例２の広角端におけるレンズ群の収差図である。
【図３０】実施例２の中間点におけるレンズ群の収差図である。
【図３１】実施例２の望遠端におけるレンズ群の収差図である。
【図３２】実施例３の広角端におけるレンズ群の収差図である。
【図３３】実施例３の中間点におけるレンズ群の収差図である。
【図３４】実施例３の望遠端におけるレンズ群の収差図である。
【図３５】実施例４の広角端におけるレンズ群の収差図である。
【図３６】実施例４の中間点におけるレンズ群の収差図である。
【図３７】実施例４の望遠端におけるレンズ群の収差図である。
【図３８】実施例５の広角端におけるレンズ群の収差図である。
【図３９】実施例５の中間点におけるレンズ群の収差図である。
【図４０】実施例５の望遠端におけるレンズ群の収差図である。
【図４１】実施例６の広角端におけるレンズ群の収差図である。
【図４２】実施例６の中間点におけるレンズ群の収差図である。
【図４３】実施例６の望遠端におけるレンズ群の収差図である。
【図４４】実施例７の広角端におけるレンズ群の収差図である。
【図４５】実施例７の中間点におけるレンズ群の収差図である。
【図４６】実施例７の望遠端におけるレンズ群の収差図である。
【図４７】実施例８の広角端におけるレンズ群の収差図である。
【図４８】実施例８の中間点におけるレンズ群の収差図である。
【図４９】実施例８の望遠端におけるレンズ群の収差図である。
【図５０】実施例９の広角端におけるレンズ群の収差図である。
【図５１】実施例９の中間点におけるレンズ群の収差図である。
【図５２】実施例９の望遠端におけるレンズ群の収差図である。
【図５３】実施例１０の広角端におけるレンズ群の収差図である。
【図５４】実施例１０の中間点におけるレンズ群の収差図である。
【図５５】実施例１０の望遠端におけるレンズ群の収差図である。
【図５６】実施例１１の広角端におけるレンズ群の収差図である。
【図５７】実施例１１の中間点におけるレンズ群の収差図である。
【図５８】実施例１１の望遠端におけるレンズ群の収差図である。
【図５９】実施例１２の広角端におけるレンズ群の収差図である。
【図６０】実施例１２の中間点におけるレンズ群の収差図である。
【図６１】実施例１２の望遠端におけるレンズ群の収差図である。
【図６２】実施例１３の広角端におけるレンズ群の収差図である。
【図６３】実施例１３の中間点におけるレンズ群の収差図である。
【図６４】実施例１３の望遠端におけるレンズ群の収差図である。
【図６５】実施例１４の広角端におけるレンズ群の収差図である。
【図６６】実施例１４の中間点におけるレンズ群の収差図である。
【図６７】実施例１４の望遠端におけるレンズ群の収差図である。
【図６８】実施例１５の広角端におけるレンズ群の収差図である。
【図６９】実施例１５の中間点におけるレンズ群の収差図である。
【図７０】実施例１５の望遠端におけるレンズ群の収差図である。
【図７１】実施例１６の広角端におけるレンズ群の収差図である。
【図７２】実施例１６の中間点におけるレンズ群の収差図である。
【図７３】実施例１６の望遠端におけるレンズ群の収差図である。
【図７４】実施例１７の広角端におけるレンズ群の収差図である。
【図７５】実施例１７の中間点におけるレンズ群の収差図である。
【図７６】実施例１７の望遠端におけるレンズ群の収差図である。
【符号の説明】
【０３５０】
ＡＸ  光軸
１、１Ａ〜１Ｑ  変倍光学系
３  デジタル機器
５  携帯電話機
１１、Ｇｒ１  第１レンズ群
１２、Ｇｒ２  第２レンズ群
１３、Ｇｒ３  第３レンズ群
１６、ＳＲ  撮像素子
２１  撮像装置
【図１】
2009047722.tif 000005
【図２】
2009047722.tif 000006
【図３】
2009047722.tif 000007
【図４】
2009047722.tif 000008
【図５】
2009047722.tif 000009
【図６】
2009047722.tif 000010
【図７】
2009047722.tif 000011
【図８】
2009047722.tif 000012
【図９】
2009047722.tif 000013
【図１０】
2009047722.tif 000014
【図１１】
2009047722.tif 000015
【図１２】
2009047722.tif 000016
【図１３】
2009047722.tif 000017
【図１４】
2009047722.tif 000018
【図１５】
2009047722.tif 000019
【図１６】
2009047722.tif 000020
【図１７】
2009047722.tif 000021
【図１８】
2009047722.tif 000022
【図１９】
2009047722.tif 000023
【図２０】
2009047722.tif 000024
【図２１】
2009047722.tif 000025
【図２２】
2009047722.tif 000026
【図２３】
2009047722.tif 000027
【図２４】
2009047722.tif 000028
【図２５】
2009047722.tif 000029
【図２６】
2009047722.tif 000030
【図２７】
2009047722.tif 000031
【図２８】
2009047722.tif 000032
【図２９】
2009047722.tif 000033
【図３０】
2009047722.tif 000034
【図３１】
2009047722.tif 000035
【図３２】
2009047722.tif 000036
【図３３】
2009047722.tif 000037
【図３４】
2009047722.tif 000038
【図３５】
2009047722.tif 000039
【図３６】
2009047722.tif 000040
【図３７】
2009047722.tif 000041
【図３８】
2009047722.tif 000042
【図３９】
2009047722.tif 000043
【図４０】
2009047722.tif 000044
【図４１】
2009047722.tif 000045
【図４２】
2009047722.tif 000046
【図４３】
2009047722.tif 000047
【図４４】
2009047722.tif 000048
【図４５】
2009047722.tif 000049
【図４６】
2009047722.tif 000050
【図４７】
2009047722.tif 000051
【図４８】
2009047722.tif 000052
【図４９】
2009047722.tif 000053
【図５０】
2009047722.tif 000054
【図５１】
2009047722.tif 000055
【図５２】
2009047722.tif 000056
【図５３】
2009047722.tif 000057
【図５４】
2009047722.tif 000058
【図５５】
2009047722.tif 000059
【図５６】
2009047722.tif 000060
【図５７】
2009047722.tif 000061
【図５８】
2009047722.tif 000062
【図５９】
2009047722.tif 000063
【図６０】
2009047722.tif 000064
【図６１】
2009047722.tif 000065
【図６２】
2009047722.tif 000066
【図６３】
2009047722.tif 000067
【図６４】
2009047722.tif 000068
【図６５】
2009047722.tif 000069
【図６６】
2009047722.tif 000070
【図６７】
2009047722.tif 000071
【図６８】
2009047722.tif 000072
【図６９】
2009047722.tif 000073
【図７０】
2009047722.tif 000074
【図７１】
2009047722.tif 000075
【図７２】
2009047722.tif 000076
【図７３】
2009047722.tif 000077
【図７４】
2009047722.tif 000078
【図７５】
2009047722.tif 000079
【図７６】
2009047722.tif 000080